(57)【要約】  制御情報処理方法、基地局、および端末が提供される。基地局はアップリンクサブフレームの合同符号化制御情報を決定し、合同符号化制御情報は第1の制御情報と第2の制御情報を合同で符号化することによって得られる制御情報であり、基地局は合同符号化制御情報を送信する。端末は基地局によって送信された合同符号化制御情報を受信し、合同符号化制御情報はアップリンクサブフレームのためのものであり、第1の制御情報と第2の制御情報を合同で符号化することによって得られる制御情報であり、端末は合同符号化制御情報に基づいてクリアチャネルアセスメントCCAを遂行し、CCAが完了した後に信号を送信するためアップリンクサブフレームを占有する。本発明によると、コントロールシグナリングオーバーヘッドを減らすことができる。
2019519977.tif 000002
【特許請求の範囲】
【請求項１】
制御情報処理方法であって、
基地局により、アップリンクサブフレームの合同符号化制御情報を決定するステップであって、前記合同符号化制御情報は第1の制御情報と第2の制御情報を合同で符号化することによって得られる制御情報である、ステップと、
前記基地局により、前記合同符号化制御情報を送信するステップと
を含む、方法。
【請求項２】
前記第1の制御情報は前記アップリンクサブフレームで前記端末によって遂行されるべきクリアチャネルアセスメントCCAのタイプを含み、
前記第2の制御情報は前記端末によって遂行されるべきランダムバックオフ方式CCAのリスニングパラメータを含み、前記ランダムバックオフ方式CCAの前記リスニングパラメータはコンテンションウィンドウサイズCWSかバックオフカウンタ初期値を含む、
請求項1に記載の方法。
【請求項３】
前記第1の制御情報は前記端末が前記アップリンクサブフレームで信号の送信を開始する開始時間を含み、
前記第2の制御情報は前記アップリンクサブフレームで前記端末によって遂行されるべきCCAのリスニングパラメータを含む、
請求項1に記載の方法。
【請求項４】
前記アップリンクサブフレームで前記端末によって遂行されるべき前記CCAの前記リスニングパラメータは前記端末によって遂行されるべき前記CCAのタイプを含む、請求項3に記載の方法。
【請求項５】
前記アップリンクサブフレームで前記端末によって遂行されるべき前記CCAの前記リスニングパラメータは前記端末によって遂行されるべき前記CCAのタイプと前記端末によって遂行されるべきランダムバックオフ方式CCAのリスニングパラメータとを含み、
前記ランダムバックオフ方式CCAの前記リスニングパラメータはコンテンションウィンドウサイズCWSかバックオフカウンタ初期値を含む、
請求項3に記載の方法。
【請求項６】
合同で符号化される第1の制御情報および第2の制御情報は、
前記第1の制御情報が前記アップリンクサブフレームでシングルタイムスロット方式CCAを遂行することを前記端末に命令し、前記第2の制御情報がヌルである状況、および
前記第1の制御情報が前記アップリンクサブフレームで前記ランダムバックオフ方式CCAを遂行することを前記端末に命令し、前記第2の制御情報が前記ランダムバックオフ方式CCAの前記リスニングパラメータを指示する状況
のうち、いずれか1つの状況を指示するために使われる、請求項1または2に記載の方法。
【請求項７】
前記合同で符号化される第1の制御情報および第2の制御情報は、
前記第1の制御情報がリスン・ビフォー・トークLBTの遂行を省くことを前記端末に命令し、信号を送信するため前記アップリンクサブフレームを占有し、前記第2の制御情報がヌルである状況
をさらに指示するために使われる、請求項6に記載の方法。
【請求項８】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第1の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第2の時間であることを指示し、前記第2の制御情報が前記信号送信開始時間の前にランダムバックオフ方式CCAを遂行することを前記端末に命令する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にランダムバックオフ方式CCAを遂行することを前記端末に命令する状況
のうち、いずれか1つの状況を指示するために使われる、請求項1、3、または4に記載の方法。
【請求項９】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第3の時間であることを指示し、前記第2の制御情報がリスン・ビフォー・トークLBTの遂行を省くことを前記端末に命令し、信号を送信するため前記アップリンクサブフレームを占有する状況
をさらに指示するために使われる、請求項8に記載の方法。
【請求項１０】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第4の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第5の時間であることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況
のうち、いずれか1つの状況を指示するために使われる、請求項1、3、または5に記載の方法。
【請求項１１】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第6の時間であることを指示し、前記第2の制御情報がリスン・ビフォー・トークLBTの遂行を省くことを前記端末に命令し、信号を送信するため前記アップリンクサブフレームを占有し、前記ランダムバックオフ方式CCAの前記リスニングパラメータのメッセージ内容がヌルである状況
をさらに指示するために使われる、請求項10に記載の方法。
【請求項１２】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記シングルタイムスロット方式CCAを遂行し、LBTが成功したら前記アップリンクサブフレームの前記開始時間に信号を送信する状況
を指示する、請求項8に記載の方法。
【請求項１３】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記ランダムバックオフ方式CCAを遂行することを前記端末に命令する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記ランダムバックオフ方式CCAを遂行し、LBTが成功したら前記アップリンクサブフレームの前記開始時間に信号を送信する状況
を指示する、請求項8に記載の方法。
【請求項１４】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記シングルタイムスロット方式CCAを遂行し、LBTが成功したら前記アップリンクサブフレームの前記開始時間に信号を送信する状況
を指示する、請求項10に記載の方法。
【請求項１５】
前記第1の制御情報が前記端末が前記アップリンクサブフレームで信号の送信を開始する前記開始時間が前記アップリンクサブフレームの前記開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記ランダムバックオフ方式CCAを遂行し、LBTが成功したら前記アップリンクサブフレームの前記開始時間に信号を送信する状況
を指示する、請求項10に記載の方法。
【請求項１６】
制御情報処理方法であって、
端末により、基地局によって送信される合同符号化制御情報を受信するステップであって、前記合同符号化制御情報はアップリンクサブフレームのためのものであり、第1の制御情報と第2の制御情報を合同で符号化することによって得られる制御情報である、ステップと、
前記端末により、前記合同符号化制御情報に基づいてクリアチャネルアセスメントCCAを遂行し、前記CCAを完了した後に信号を送信するため前記アップリンクサブフレームを占有するステップと
を含む、方法。
【請求項１７】
前記第1の制御情報は前記アップリンクサブフレームで前記端末によって遂行されるべき前記CCAのタイプを含み、
前記第2の制御情報は前記端末によって遂行されるべきランダムバックオフ方式CCAのリスニングパラメータを含み、前記ランダムバックオフ方式CCAの前記リスニングパラメータはコンテンションウィンドウサイズCWSかバックオフカウンタ初期値を含む、
請求項16に記載の方法。
【請求項１８】
前記第1の制御情報は前記端末が前記アップリンクサブフレームで信号の送信を開始する開始時間を含み、
前記第2の制御情報は前記アップリンクサブフレームで前記端末によって遂行されるべきCCAのリスニングパラメータを含み、
前記CCAを完了した後に信号を送信するため前記アップリンクサブフレームを占有する前記ステップは、
前記CCAが完了した後に、前記アップリンクサブフレームで前記信号送信開始時間に信号を送信するため前記アップリンクサブフレームを占有することを含む、
請求項16に記載の方法。
【請求項１９】
前記アップリンクサブフレームで前記端末によって遂行されるべき前記CCAの前記リスニングパラメータは前記端末によって遂行されるべき前記CCAのタイプを含む、請求項18に記載の方法。
【請求項２０】
前記アップリンクサブフレームで前記端末によって遂行されるべき前記CCAの前記リスニングパラメータは前記端末によって遂行されるべき前記CCAのタイプと前記端末によって遂行されるべきランダムバックオフ方式CCAのリスニングパラメータとを含み、
前記ランダムバックオフ方式CCAの前記リスニングパラメータはコンテンションウィンドウサイズCWSかバックオフカウンタ初期値を含む、
請求項18に記載の方法。
【請求項２１】
合同で符号化される第1の制御情報および第2の制御情報は、
前記第1の制御情報が前記アップリンクサブフレームでシングルタイムスロット方式CCAを遂行することを前記端末に命令し、前記第2の制御情報がヌルである状況、および
前記第1の制御情報が前記アップリンクサブフレームで前記ランダムバックオフ方式CCAを遂行することを前記端末に命令し、前記第2の制御情報が前記ランダムバックオフ方式CCAの前記リスニングパラメータを指示する状況
のうち、いずれか1つの状況を指示するために使われる、請求項16または17に記載の方法。
【請求項２２】
前記合同で符号化される第1の制御情報および第2の制御情報は、
前記第1の制御情報がリスン・ビフォー・トークLBTの遂行を省くことを前記端末に命令し、信号を送信するため前記アップリンクサブフレームを占有し、前記第2の制御情報がヌルである状況
をさらに指示するために使われる、請求項21に記載の方法。
【請求項２３】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第1の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第2の時間であることを指示し、前記第2の制御情報が前記信号送信開始時間の前にランダムバックオフ方式CCAを遂行することを前記端末に命令する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にランダムバックオフ方式CCAを遂行することを前記端末に命令する状況
のうち、いずれか1つの状況を指示するために使われる、請求項16、18、または19に記載の方法。
【請求項２４】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第3の時間であることを指示し、前記第2の制御情報がリスン・ビフォー・トークLBTの遂行を省くことを前記端末に命令し、信号を送信するため前記アップリンクサブフレームを占有する状況
をさらに指示するために使われる、請求項23に記載の方法。
【請求項２５】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第4の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第5の時間であることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況
のうち、いずれか1つの状況を指示するために使われる、請求項16、18、または20に記載の方法。
【請求項２６】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第6の時間であることを指示し、前記第2の制御情報がリスン・ビフォー・トークLBTの遂行を省くことを前記端末に命令し、信号を送信するため前記アップリンクサブフレームを占有し、前記ランダムバックオフ方式CCAの前記リスニングパラメータのメッセージ内容がヌルである状況
をさらに指示するために使われる、請求項25に記載の方法。
【請求項２７】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合に、
前記端末が、前記アップリンクサブフレームの前記開始時間まで、信号を送信するため、前記アップリンクサブフレームの前記開始時間の前に、チャネルを占有する場合は、前記端末は前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合は、前記端末は、前記アップリンクサブフレームの前記開始時間の前に前記シングルタイムスロット方式CCAを遂行し、LBTが成功したら前記アップリンクサブフレームの前記開始時間に信号を送信する、
請求項23に記載の方法。
【請求項２８】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記ランダムバックオフ方式CCAを遂行することを前記端末に命令する場合に、
前記端末が、前記アップリンクサブフレームの前記開始時間まで、信号を送信するため、前記アップリンクサブフレームの前記開始時間の前に、チャネルを占有する場合は、前記端末は前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合は、前記端末は、前記アップリンクサブフレームの前記開始時間の前に前記ランダムバックオフ方式CCAを遂行し、LBTが成功したら前記アップリンクサブフレームの前記開始時間に信号を送信する、
請求項23に記載の方法。
【請求項２９】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合に、
前記端末が、前記アップリンクサブフレームの前記開始時間まで、信号を送信するため、前記アップリンクサブフレームの前記開始時間の前に、チャネルを占有する場合は、前記端末は前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合は、前記端末は、前記アップリンクサブフレームの前記開始時間の前に前記シングルタイムスロット方式CCAを遂行し、LBTが成功したら前記アップリンクサブフレームの前記開始時間に信号を送信する、
請求項25に記載の方法。
【請求項３０】
前記第1の制御情報が前記端末が前記アップリンクサブフレームで信号の送信を開始する前記開始時間が前記アップリンクサブフレームの前記開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する場合に、
前記端末が、前記アップリンクサブフレームの前記開始時間まで、信号を送信するため、前記アップリンクサブフレームの前記開始時間の前に、チャネルを占有する場合は、前記端末は前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合は、前記端末は、前記アップリンクサブフレームの前記開始時間の前に前記ランダムバックオフ方式CCAを遂行し、LBTが成功したら前記アップリンクサブフレームの前記開始時間に信号を送信する、
請求項25に記載の方法。
【請求項３１】
基地局であって、
アップリンクサブフレームの合同符号化制御情報を決定するように構成された処理部であって、前記合同符号化制御情報は第1の制御情報と第2の制御情報を合同で符号化することによって得られる制御情報である、処理部と、
前記処理部によって決定された前記合同符号化制御情報を送信するように構成された送信部と
を含む、基地局。
【請求項３２】
前記第1の制御情報は前記アップリンクサブフレームで前記端末によって遂行されるべきクリアチャネルアセスメントCCAのタイプを含み、
前記第2の制御情報は前記端末によって遂行されるべきランダムバックオフ方式CCAのリスニングパラメータを含み、前記ランダムバックオフ方式CCAの前記リスニングパラメータはコンテンションウィンドウサイズCWSかバックオフカウンタ初期値を含む、
請求項31に記載の基地局。
【請求項３３】
前記第1の制御情報は前記端末が前記アップリンクサブフレームで信号の送信を開始する開始時間を含み、
前記第2の制御情報は前記アップリンクサブフレームで前記端末によって遂行されるべきCCAのリスニングパラメータを含む、
請求項31に記載の基地局。
【請求項３４】
前記アップリンクサブフレームで前記端末によって遂行されるべき前記CCAの前記リスニングパラメータは前記端末によって遂行されるべき前記CCAのタイプを含む、請求項33に記載の基地局。
【請求項３５】
前記アップリンクサブフレームで前記端末によって遂行されるべき前記CCAの前記リスニングパラメータは前記端末によって遂行されるべき前記CCAのタイプと前記端末によって遂行されるべきランダムバックオフ方式CCAのリスニングパラメータとを含み、
前記ランダムバックオフ方式CCAの前記リスニングパラメータはコンテンションウィンドウサイズCWSかバックオフカウンタ初期値を含む、
請求項33に記載の基地局。
【請求項３６】
合同で符号化される第1の制御情報および第2の制御情報は、
前記第1の制御情報が前記アップリンクサブフレームでシングルタイムスロット方式CCAを遂行することを前記端末に命令し、前記第2の制御情報がヌルである状況、および
前記第1の制御情報が前記アップリンクサブフレームで前記ランダムバックオフ方式CCAを遂行することを前記端末に命令し、前記第2の制御情報が前記ランダムバックオフ方式CCAの前記リスニングパラメータを指示する状況
のうち、いずれか1つの状況を指示するために使われる、請求項31または32に記載の基地局。
【請求項３７】
前記合同で符号化される第1の制御情報および第2の制御情報は、
前記第1の制御情報がリスン・ビフォー・トークLBTの遂行を省くことを前記端末に命令し、信号を送信するため前記アップリンクサブフレームを占有し、前記第2の制御情報がヌルである状況
をさらに指示するために使われる、請求項36に記載の基地局。
【請求項３８】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第1の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第2の時間であることを指示し、前記第2の制御情報が前記信号送信開始時間の前にランダムバックオフ方式CCAを遂行することを前記端末に命令する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にランダムバックオフ方式CCAを遂行することを前記端末に命令する状況
のうち、いずれか1つの状況を指示するために使われる、請求項31、33、または34に記載の基地局。
【請求項３９】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第3の時間であることを指示し、前記第2の制御情報がリスン・ビフォー・トークLBTの遂行を省くことを前記端末に命令し、信号を送信するため前記アップリンクサブフレームを占有する状況
をさらに指示するために使われる、請求項38に記載の基地局。
【請求項４０】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第4の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第5の時間であることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況
のうち、いずれか1つの状況を指示するために使われる、請求項31、33、または35に記載の基地局。
【請求項４１】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第6の時間であることを指示し、前記第2の制御情報がリスン・ビフォー・トークLBTの遂行を省くことを前記端末に命令し、信号を送信するため前記アップリンクサブフレームを占有し、前記ランダムバックオフ方式CCAの前記リスニングパラメータのメッセージ内容がヌルである状況
をさらに指示するために使われる、請求項40に記載の基地局。
【請求項４２】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記シングルタイムスロット方式CCAを遂行し、LBTが成功したら前記アップリンクサブフレームの前記開始時間に信号を送信する状況を指示する、
請求項38に記載の基地局。
【請求項４３】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記ランダムバックオフ方式CCAを遂行することを前記端末に命令する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記ランダムバックオフ方式CCAを遂行し、LBTが成功したら前記アップリンクサブフレームの前記開始時間に信号を送信する状況を指示する、
請求項38に記載の基地局。
【請求項４４】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記シングルタイムスロット方式CCAを遂行し、LBTが成功したら前記アップリンクサブフレームの前記開始時間に信号を送信する状況を指示する、
請求項40に記載の基地局。
【請求項４５】
前記第1の制御情報が前記端末が前記アップリンクサブフレームで信号の送信を開始する前記開始時間が前記アップリンクサブフレームの前記開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する場合、
前記合同符号化制御情報は、
前記端末が、前記アップリンクサブフレームの前記開始時間まで、信号を送信するため、前記アップリンクサブフレームの前記開始時間の前に、チャネルを占有する場合に、前記端末が前記アップリンクサブフレームの前記開始時間に信号を送信する状況、または
前記端末が、前記アップリンクサブフレームの前記開始時間まで、信号を送信するため、前記アップリンクサブフレームの前記開始時間の前に、チャネルを占有しない場合に、前記端末が、前記アップリンクサブフレームの前記開始時間の前に前記ランダムバックオフ方式CCAを遂行し、LBTが成功したら前記アップリンクサブフレームの前記開始時間に信号を送信する状況を指示する、
請求項40に記載の基地局。
【請求項４６】
端末であって、
基地局によって送信される合同符号化制御情報を受信するように構成された受信部であって、前記合同符号化制御情報はアップリンクサブフレームのためのものであり、第1の制御情報と第2の制御情報を合同で符号化することによって得られる制御情報である、受信部と、
前記合同符号化制御情報に基づいてクリアチャネルアセスメントCCAを遂行するように構成された処理部と、
前記処理部が前記CCAを完了した後に信号を送信するため前記アップリンクサブフレームを占有するように構成された送信部と
を含む、端末。
【請求項４７】
前記第1の制御情報は前記アップリンクサブフレームで前記端末によって遂行されるべき前記CCAのタイプを含み、
前記第2の制御情報は前記端末によって遂行されるべきランダムバックオフ方式CCAのリスニングパラメータを含み、前記ランダムバックオフ方式CCAの前記リスニングパラメータはコンテンションウィンドウサイズCWSかバックオフカウンタ初期値を含む、
請求項46に記載の端末。
【請求項４８】
前記第1の制御情報は前記端末が前記アップリンクサブフレームで信号の送信を開始する開始時間を含み、
前記第2の制御情報は前記アップリンクサブフレームで前記端末によって遂行されるべきCCAのリスニングパラメータを含み、
前記CCAを完了した後に、前記送信部が信号を送信するため前記アップリンクサブフレームを占有することは、具体的には、
前記CCAが完了した後に、前記アップリンクサブフレームで前記信号送信開始時間に信号を送信するため前記アップリンクサブフレームを占有することである、
請求項46に記載の端末。
【請求項４９】
前記アップリンクサブフレームで前記端末によって遂行されるべき前記CCAの前記リスニングパラメータは前記端末によって遂行されるべき前記CCAのタイプを含む、請求項48に記載の端末。
【請求項５０】
前記アップリンクサブフレームで前記端末によって遂行されるべき前記CCAの前記リスニングパラメータは前記端末によって遂行されるべき前記CCAのタイプと前記端末によって遂行されるべきランダムバックオフ方式CCAのリスニングパラメータとを含み、
前記ランダムバックオフ方式CCAの前記リスニングパラメータはコンテンションウィンドウサイズCWSかバックオフカウンタ初期値を含む、
請求項48に記載の端末。
【請求項５１】
合同で符号化される第1の制御情報および第2の制御情報は、
前記第1の制御情報が前記アップリンクサブフレームでシングルタイムスロット方式CCAを遂行することを前記端末に命令し、前記第2の制御情報がヌルである状況、および
前記第1の制御情報が前記アップリンクサブフレームで前記ランダムバックオフ方式CCAを遂行することを前記端末に命令し、前記第2の制御情報が前記ランダムバックオフ方式CCAの前記リスニングパラメータを指示する状況
のうち、いずれか1つの状況を指示するために使われる、請求項46または47に記載の端末。
【請求項５２】
前記合同で符号化される第1の制御情報および第2の制御情報は、
前記第1の制御情報がリスン・ビフォー・トークLBTの遂行を省くことを前記端末に命令し、信号を送信するため前記アップリンクサブフレームを占有し、前記第2の制御情報がヌルである状況をさらに指示するために使われる、
請求項51に記載の端末。
【請求項５３】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第1の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第2の時間であることを指示し、前記第2の制御情報が前記信号送信開始時間の前にランダムバックオフ方式CCAを遂行することを前記端末に命令する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にランダムバックオフ方式CCAを遂行することを前記端末に命令する状況
のうち、いずれか1つの状況を指示するために使われる、請求項46、48、または49に記載の端末。
【請求項５４】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第3の時間であることを指示し、前記第2の制御情報がリスン・ビフォー・トークLBTの遂行を省くことを前記端末に命令し、信号を送信するため前記アップリンクサブフレームを占有する状況
をさらに指示するために使われる、請求項53に記載の端末。
【請求項５５】
合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第4の時間であることを指示し、前記第2の制御情報が前記信号送信開始時間の前にシングルタイムスロット方式CCAを遂行することを前記端末に命令する状況、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第5の時間であることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況、
前記第1の制御情報が前記端末が前記アップリンクサブフレームで信号の送信を開始する前記開始時間が前記アップリンクサブフレームの開始時間と同じであることを指示し、前記第2の制御情報が前記信号送信開始時間の前にシングルタイムスロット方式CCAを遂行することを前記端末に命令する状況、および
前記第1の制御情報が前記端末が前記アップリンクサブフレームで信号の送信を開始する前記開始時間が前記アップリンクサブフレームの開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する状況
のうち、いずれか1つの状況を指示するために使われる、請求項46、48、または50に記載の端末。
【請求項５６】
前記合同で符号化される第1の制御情報および第2の制御情報は、
前記第1の制御情報が、前記端末が前記アップリンクサブフレームで信号の送信を開始する前記開始時間が前記アップリンクサブフレームの開始時間の後であること、また前記信号送信開始時間と前記アップリンクサブフレームの前記開始時間との間隔が第6の時間であることを指示し、前記第2の制御情報がリスン・ビフォー・トークLBTの遂行を省くことを前記端末に命令し、信号を送信するため前記アップリンクサブフレームを占有し、前記ランダムバックオフ方式CCAの前記リスニングパラメータのメッセージ内容がヌルである状況
をさらに指示するために使われる、請求項55に記載の端末。
【請求項５７】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合、
前記送信部は、
前記端末が、前記アップリンクサブフレームの前記開始時間まで、信号を送信するため、前記アップリンクサブフレームの前記開始時間の前に、チャネルを占有する場合に、前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合に、前記アップリンクサブフレームの前記開始時間の前に前記シングルタイムスロット方式CCAを遂行し、なおかつLBTが成功したら前記アップリンクサブフレームの前記開始時間に信号を送信する
ように具体的に構成される、請求項53に記載の端末。
【請求項５８】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記ランダムバックオフ方式CCAを遂行することを前記端末に命令する場合、
前記送信部は、
前記端末が、前記アップリンクサブフレームの前記開始時間まで、信号を送信するため、前記アップリンクサブフレームの前記開始時間の前に、チャネルを占有する場合に、前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合に、前記アップリンクサブフレームの前記開始時間の前に前記ランダムバックオフ方式CCAを遂行し、なおかつLBTが成功したら前記アップリンクサブフレームの前記開始時間に信号を送信する
ように具体的に構成される、請求項53に記載の端末。
【請求項５９】
前記第1の制御情報が前記端末が前記アップリンクサブフレームで信号の送信を開始する前記開始時間が前記アップリンクサブフレームの前記開始時間と同じであることを指示し、前記第2の制御情報が前記信号送信開始時間の前に前記シングルタイムスロット方式CCAを遂行することを前記端末に命令する場合、
前記送信部は、
記端末が、前記アップリンクサブフレームの前記開始時間まで、信号を送信するため、前記アップリンクサブフレームの前記開始時間の前に、チャネルを占有する場合に、前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合に、前記アップリンクサブフレームの前記開始時間の前に前記シングルタイムスロット方式CCAを遂行し、なおかつLBTが成功したら前記アップリンクサブフレームの前記開始時間に信号を送信する
ように具体的に構成される、請求項55に記載の端末。
【請求項６０】
前記第1の制御情報が前記端末が前記アップリンクサブフレームで信号の送信を開始する前記開始時間が前記アップリンクサブフレームの前記開始時間と同じであることを指示し、前記第2の制御情報が、前記信号送信開始時間の前に前記ランダムバックオフ方式CCAを遂行することを前記端末に命令し、なおかつ前記ランダムバックオフ方式CCAの前記リスニングパラメータを指示する場合、
前記送信部は、
前記端末が、前記アップリンクサブフレームの前記開始時間まで、信号を送信するため、前記アップリンクサブフレームの前記開始時間の前に、チャネルを占有する場合に、前記アップリンクサブフレームの前記開始時間に信号を送信し、または
前記端末が、前記アップリンクサブフレームの前記開始時間まで、信号を送信するため、前記アップリンクサブフレームの前記開始時間の前に、チャネルを占有しない場合に、前記アップリンクサブフレームの前記開始時間の前に前記ランダムバックオフ方式CCAを遂行し、なおかつLBTが成功したら前記アップリンクサブフレームの前記開始時間に信号を送信する
ように具体的に構成される、請求項55に記載の端末。
【発明の詳細な説明】
【技術分野】
【０００１】
本発明は通信技術分野に関し、具体的には制御情報処理方法、基地局、および端末に関する。
【背景技術】
【０００２】
通信技術の発展にともない、ロングタームエボリューションシステムを使用するライセンスアシストアクセス（Licensed−Assisted Access using Long Term Evolution，LAA−LTE）はアンライセンス周波数帯を使用していくつかのデータサービスを運ぶことができる。
【０００３】
アンライセンス周波数帯でLAA−LTEによって遂行されるデータ伝送は、異なる事業者や異なる無線通信規格からの同一チャネル干渉に遭遇し、例えばワイヤレスフィディリティ（Wireless Fidelity、WiFi）システムからの同一チャネル干渉に遭遇する。同一チャネル干渉が伝送性能に与える深刻な影響を回避するため、LAA−LTEシステムは通常、リスン・ビフォー・トーク（Listen−Before−Talk、LBT）チャネルアクセスメカニズムを使用しクリアチャネルアセスメント（Clear Channel Assessment、CCA）で通信チャネルを検出する。
【０００４】
現在、LAA−LTEシステムのアップリンク伝送はスケジューリングを通じて基地局によって完了される。端末は、アップリンクサブフレームを送信する端末をスケジュールするために基地局によって使われる制御情報に基づいてスケジュールされたアップリンクサブフレームでアップリンク情報を送信する。端末は、アップリンク情報を送信する前に、LBTを遂行する場合があり、あるいはLBTを遂行しない場合がある。端末がLBTKを遂行する場合、端末はシングルタイムスロット方式CCAかランダムバックオフ方式CCAを遂行する場合がある。
【０００５】
アップリンク伝送のための端末のLBT待ち時間を減らすため、端末は基地局によって開始される最大チャネル占有時間（Maximum Channel Occupancy Time、MCOT）内にランダムバックオフ方式CCAを遂行しなくてもよいが、シングルタイムスロット方式CCAは遂行する。チャネルがアイドルであることが検出される場合はアップリンクチャネルがアクセスされる。MCOTの範囲外のアップリンクサブフレームの場合はランダムバックオフ方式CCAを遂行する必要がある。基地局によって開始されるMCOTの長さはダウンリンクサービスタイプによって異なり、2msから10msにおよぶ。MCOTは基地局によって開始され、端末はMCOTの開始時間とMCOTの長さを知らない。したがって、端末がCCAのタイプとアップリンクサブフレームの長さを判断することを可能にする容易な方法は、基地局が端末にCCAのタイプとアップリンクサブフレームの開始時間を別々に通知することである。
【０００６】
基地局が端末にアップリンクサブフレームの開始時間を通知するときに使われる指示状態は、0、16μs、25μs、または1シンボルを含む。0は、LBTを遂行する必要がなく、UEがアップリンクサブフレームの第1のシンボルを占有することを意味する。16μsは、UEがLBTを遂行する必要がなく、アップリンクサブフレームの第1のシンボルの最初の16μsを使わず、アップリンク情報を送信するため、第1のシンボルの16μsの後ろの第1のシンボルの一部分と第1のシンボルの後ろの残りのシンボルとを占有することを意味する。25μsは、UEがアップリンクサブフレームの第1のシンボルの最初の25μsを使わず、25μs内にシングルタイムスロット方式CCAを遂行し、LBTが成功する場合に、アップリンク情報を送信するため、第1のシンボルの後半と第1のシンボルの後ろの残りのシンボルとを占有することを意味する。1シンボルは、UEがアップリンクサブフレームの第1のシンボルを使わず、1シンボル内にランダムバックオフ方式CCAを遂行し、LBTが成功する場合に、アップリンク情報を送信するため、第1のシンボルの後ろの残りのシンボルを占有することを意味する。基地局は、端末にアップリンクサブフレームの開始時間とCCAのタイプを同時に別々に通知する場合に、CCAのタイプとアップリンクサブフレームの開始時間の指示状態の全ての組み合わせを指示情報に加える。16μsとシングルタイムスロット方式CCAとの一致、16μsとランダムバックオフ方式CCAとの一致、ならびに25μsとランダムバックオフ方式CCAとの一致は出来しないため、指示情報が過剰になり、その結果、コントロールシグナリングオーバーヘッドが増大する。
【発明の概要】
【課題を解決するための手段】
【０００７】
本発明の実施形態は、コントロールシグナリングオーバーヘッドを減らすため、制御情報処理方法、基地局、および端末を提供する。
【０００８】
第1の態様によると、制御情報処理方法が提供される。この方法では、異なる制御情報を別々に送信することによって生じるコントロールシグナリングオーバーヘッドの問題を回避して、コントロールシグナリングオーバーヘッドを減らすため、基地局は、端末に対して異なるスケジューリングを行うために使われる異なる制御情報を合同符号化方式を用いて合同で符号化した後に、合同符号化制御情報を送信する。
【０００９】
可能な一設計において、基地局はアップリンクサブフレームの合同符号化制御情報を決定して送信し、合同符号化制御情報は第1の制御情報と第2の制御情報を合同で符号化することによって得られる制御情報である。コントロールシグナリングオーバーヘッドを減らすため、端末は合同符号化制御情報を受信し、合同符号化制御情報に基づいてクリアチャネルアセスメントCCAを遂行し、CCAを完了した後に信号を送信するためアップリンクサブフレームを占有する。
【００１０】
本発明の本実施形態において、第1の制御情報によって指示されるメッセージ内容と第2の制御情報によって指示されるメッセージ内容は重複しなくてよく、ただし対応関係を有する。
【００１１】
可能な一実装において、CCAのタイプとランダムバックオフ方式CCAのリスニングパラメータは合同で符号化されてよい。CCAのタイプとランダムバックオフ方式CCAのリスニングパラメータが合同で符号化される場合、第1の制御情報はアップリンクサブフレームで端末によって遂行されるべきクリアチャネルアセスメントCCAのタイプを含み、第2の制御情報は端末によって遂行されるべきランダムバックオフ方式CCAのリスニングパラメータを含む。ランダムバックオフ方式CCAのリスニングパラメータはコンテンションウィンドウサイズCWSかバックオフカウンタ初期値を含む。
【００１２】
具体的に述べると、合同で符号化される第1の制御情報および第2の制御情報は、第1の制御情報がアップリンクサブフレームでシングルタイムスロット方式CCAを遂行することを端末に命令し、第2の制御情報がヌルである状況、および第1の制御情報がアップリンクサブフレームでランダムバックオフ方式CCAを遂行することを端末に命令し、第2の制御情報がランダムバックオフ方式CCAのリスニングパラメータを指示する状況のうち、いずれか1つの状況を指示するために使われる。
【００１３】
さらに、合同で符号化される第1の制御情報および第2の制御情報は、第1の制御情報がリスン・ビフォー・トークLBTの遂行を省くことを端末に命令し、信号を送信するためアップリンクサブフレームを占有し、第2の制御情報がヌルである状況をさらに指示するために使われる。
【００１４】
別の可能な一実装において、アップリンクサブフレームで信号を送信する開始時間と端末によって遂行されるべきCCAのタイプは合同で符号化されてよい。アップリンクサブフレームで信号を送信する開始時間と端末によって遂行されるべきクリアチャネルアセスメントCCAのタイプが合同で符号化される場合、第1の制御情報は端末がアップリンクサブフレームで信号の送信を開始する開始時間を含み、第2の制御情報は端末によって遂行されるべきCCAのタイプを含む。
【００１５】
具体的に述べると、合同で符号化される第1の制御情報および第2の制御情報は、
第1の制御情報が、端末がアップリンクサブフレームで信号の送信を開始する開始時間がアップリンクサブフレームの開始時間の後であること、また信号送信開始時間とアップリンクサブフレームの開始時間との間隔が第1の時間であることを指示し、第2の制御情報が信号送信開始時間の前にシングルタイムスロット方式CCAを遂行することを端末に命令する状況、
第1の制御情報が、端末がアップリンクサブフレームで信号の送信を開始する開始時間がアップリンクサブフレームの開始時間の後であること、また信号送信開始時間とアップリンクサブフレームの開始時間との間隔が第2の時間であることを指示し、第2の制御情報が信号送信開始時間の前にランダムバックオフ方式CCAを遂行することを端末に命令する状況、
第1の制御情報が端末がアップリンクサブフレームで信号の送信を開始する開始時間がアップリンクサブフレームの開始時間と同じであることを指示し、第2の制御情報が信号送信開始時間の前にシングルタイムスロット方式CCAを遂行することを端末に命令する状況、および
第1の制御情報が端末がアップリンクサブフレームで信号の送信を開始する開始時間がアップリンクサブフレームの開始時間と同じであることを指示し、第2の制御情報が信号送信開始時間の前にランダムバックオフ方式CCAを遂行することを端末に命令する状況
のうち、いずれか1つの状況を指示するために使われる。
【００１６】
さらに、合同で符号化される第1の制御情報および第2の制御情報は、
第1の制御情報が、端末がアップリンクサブフレームで信号の送信を開始する開始時間がアップリンクサブフレームの開始時間の後であること、また信号送信開始時間とアップリンクサブフレームの開始時間との間隔が第3の時間であることを指示し、第2の制御情報がリスン・ビフォー・トークLBTの遂行を省くことを端末に命令し、信号を送信するためアップリンクサブフレームを占有する状況
をさらに指示するために使われる。
【００１７】
さらに別の可能な一実装において、アップリンクサブフレームで信号を送信する開始時間と、CCAのタイプと、ランダムバックオフ方式CCAのリスニングパラメータは合同で符号化されてよい。アップリンクサブフレームで信号を送信する開始時間と、CCAのタイプと、ランダムバックオフ方式CCAのリスニングパラメータが合同で符号化される場合、第1の制御情報は端末がアップリンクサブフレームで信号の送信を開始する開始時間を含み、第2の制御情報は端末によって遂行されるべきクリアチャネルアセスメントCCAのタイプと端末によって遂行されるべきランダムバックオフ方式CCAのリスニングパラメータとを含む。ランダムバックオフ方式CCAのリスニングパラメータはコンテンションウィンドウサイズCWSかバックオフカウンタ初期値を含む。
【００１８】
具体的に述べると、合同で符号化される第1の制御情報および第2の制御情報は、
第1の制御情報が、端末がアップリンクサブフレームで信号の送信を開始する開始時間がアップリンクサブフレームの開始時間の後であること、また信号送信開始時間とアップリンクサブフレームの開始時間との間隔が第4の時間であることを指示し、第2の制御情報が信号送信開始時間の前にシングルタイムスロット方式CCAを遂行することを端末に命令する状況、
第1の制御情報が、端末がアップリンクサブフレームで信号の送信を開始する開始時間がアップリンクサブフレームの開始時間の後であること、また信号送信開始時間とアップリンクサブフレームの開始時間との間隔が第5の時間であることを指示し、第2の制御情報が、信号送信開始時間の前にランダムバックオフ方式CCAを遂行することを端末に命令し、なおかつランダムバックオフ方式CCAのリスニングパラメータを指示する状況、
第1の制御情報が端末がアップリンクサブフレームで信号の送信を開始する開始時間がアップリンクサブフレームの開始時間と同じであることを指示し、第2の制御情報が信号送信開始時間の前にシングルタイムスロット方式CCAを遂行することを端末に命令する状況、および
第1の制御情報が端末がアップリンクサブフレームで信号の送信を開始する開始時間がアップリンクサブフレームの開始時間と同じであることを指示し、第2の制御情報が、信号送信開始時間の前にランダムバックオフ方式CCAを遂行することを端末に命令し、なおかつランダムバックオフ方式CCAのリスニングパラメータを指示する状況のうち、いずれか1つの状況を指示するために使われる。
【００１９】
本発明の本実施形態では、合同符号化制御情報が送信されるため、アップリンクサブフレームの開始時間が、またはCCAのタイプが、別々に通知されるシナリオで、端末によって遂行されるべきCCAのタイプを明示的に指示できないという問題は解決できる。
【００２０】
さらに、合同で符号化される第1の制御情報および第2の制御情報は、第1の制御情報が、端末がアップリンクサブフレームで信号の送信を開始する開始時間がアップリンクサブフレームの開始時間の後であること、また信号送信開始時間とアップリンクサブフレームの開始時間との間隔が第6の時間であることを指示し、第2の制御情報がリスン・ビフォー・トークLBTの遂行を省くことを端末に命令し、信号を送信するためアップリンクサブフレームを占有し、ランダムバックオフ方式CCAのリスニングパラメータのメッセージ内容がヌルである状況をさらに指示するために使われる。
【００２１】
別の可能な一設計において、第1の制御情報が端末がアップリンクサブフレームで信号の送信を開始する開始時間がアップリンクサブフレームの開始時間と同じであることを指示し、第2の制御情報が信号送信開始時間の前にシングルタイムスロット方式CCAを遂行することを端末に命令する場合に、
端末が、アップリンクサブフレームの開始時間まで、信号を送信するため、アップリンクサブフレームの開始時間の前に、チャネルを占有する場合は、端末はアップリンクサブフレームの開始時間に信号を送信し、または、端末が、アップリンクサブフレームの開始時間まで、信号を送信するため、アップリンクサブフレームの開始時間の前に、チャネルを占有しない場合は、端末は、アップリンクサブフレームの開始時間の前にシングルタイムスロット方式CCAを遂行し、LBTが成功したらアップリンクサブフレームの開始時間に信号を送信する。
【００２２】
別の可能な一設計において、第1の制御情報が端末がアップリンクサブフレームで信号の送信を開始する開始時間がアップリンクサブフレームの開始時間と同じであることを指示し、第2の制御情報が信号送信開始時間の前にランダムバックオフ方式CCAを遂行することを端末に命令する場合に、
端末が、アップリンクサブフレームの開始時間まで、信号を送信するため、アップリンクサブフレームの開始時間の前に、チャネルを占有する場合は、端末はアップリンクサブフレームの開始時間に信号を送信し、または、端末が、アップリンクサブフレームの開始時間まで、信号を送信するため、アップリンクサブフレームの開始時間の前に、チャネルを占有しない場合は、端末は、アップリンクサブフレームの開始時間の前にランダムバックオフ方式CCAを遂行し、LBTが成功したらアップリンクサブフレームの開始時間に信号を送信する。
【００２３】
別の可能な一設計において、第1の制御情報が端末がアップリンクサブフレームで信号の送信を開始する開始時間がアップリンクサブフレームの開始時間と同じであることを指示し、第2の制御情報が信号送信開始時間の前にシングルタイムスロット方式CCAを遂行することを端末に命令する場合に、
端末が、アップリンクサブフレームの開始時間まで、信号を送信するため、アップリンクサブフレームの開始時間の前に、チャネルを占有する場合は、端末はアップリンクサブフレームの開始時間に信号を送信し、または、端末が、アップリンクサブフレームの開始時間まで、信号を送信するため、アップリンクサブフレームの開始時間の前に、チャネルを占有しない場合は、端末は、アップリンクサブフレームの開始時間の前にシングルタイムスロット方式CCAを遂行し、LBTが成功したらアップリンクサブフレームの開始時間に信号を送信する。
【００２４】
別の可能な一設計において、第1の制御情報が端末がアップリンクサブフレームで信号の送信を開始する開始時間がアップリンクサブフレームの開始時間と同じであることを指示し、第2の制御情報が、信号送信開始時間の前にランダムバックオフ方式CCAを遂行することを端末に命令し、なおかつランダムバックオフ方式CCAのリスニングパラメータを指示する場合に、
端末が、アップリンクサブフレームの開始時間まで、信号を送信するため、アップリンクサブフレームの開始時間の前に、チャネルを占有する場合は、端末はアップリンクサブフレームの開始時間に信号を送信し、または、端末が、アップリンクサブフレームの開始時間まで、信号を送信するため、アップリンクサブフレームの開始時間の前に、チャネルを占有しない場合は、端末は、アップリンクサブフレームの開始時間の前にランダムバックオフ方式CCAを遂行し、LBTが成功したらアップリンクサブフレームの開始時間に信号を送信する。
【００２５】
本発明の本実施形態において、少なくとも2つの制御情報の組み合わせで出来できない端末行動は合同符号化制御情報から除去されるため、端末に少なくとも2つの制御情報を同時に別々に通知することによって生じるシグナリング過剰が回避され、制御情報の伝送効率が向上する。
【００２６】
第2の態様によると、基地局が提供される。基地局は前述した方法の設計における基地局を実現する機能を有し、機能はハードウェアによって実行されてよく、あるいは対応するソフトウェアを実行することによってハードウェアによって実行されてもよい。ハードウェアまたはソフトウェアは機能に対応する1つ以上のモジュールを含む。モジュールはソフトウェアおよび／またはハードウェアであってよい。
【００２７】
可能な一設計において、基地局は処理部と送信部とを含む。処理部はアップリンクサブフレームの合同符号化制御情報を決定し、合同符号化制御情報は第1の制御情報と第2の制御情報を合同で符号化することによって得られる制御情報である、ように構成される。送信部は処理部によって決定された合同符号化制御情報を送信するように構成される。
【００２８】
別の可能な一設計において、基地局は処理器と送信器とを含む。処理器は前述した方法で対応する機能を実行するにあたって基地局を支援するように構成される。処理器はアップリンクサブフレームの合同符号化制御情報を決定するように構成される。送信器は、端末との通信を支援するため、合同符号化制御情報を送信する能力を有するように構成される。基地局はメモリをさらに含んでよく、メモリは処理器に結合し、なおかつ基地局に必要なプログラム命令とデータを格納するように構成される。
【００２９】
第3の態様によると、端末が提供される。端末は前述した方法の設計における端末を実現する機能を有し、機能はハードウェアによって実行されてよく、あるいは対応するソフトウェアを実行することによってハードウェアによって実行されてもよい。ハードウェアまたはソフトウェアは機能に対応する1つ以上のモジュールを含む。モジュールはソフトウェアおよび／またはハードウェアであってよい。
【００３０】
可能な一設計において、端末は、受信部と、処理部と、送信部とを含む。受信部は基地局によって送信される合同符号化制御情報を受信し、合同符号化制御情報はアップリンクサブフレームのためのものであり、第1の制御情報と第2の制御情報を合同で符号化することによって得られる制御情報である、ように構成される。処理部は合同符号化制御情報に基づいてクリアチャネルアセスメントCCAを遂行するように構成される。送信部は、処理部がCCAを完了した後に、信号を送信するためアップリンクサブフレームを占有するように構成される。
【００３１】
別の可能な一設計において、端末は、受信器と、処理器と、送信器とを含む。処理器は前述した方法で対応する機能を実行するにあたって端末を支援するように構成される。受信器は基地局によって送信される合同符号化制御情報を受信する能力を有するように構成される。送信器は信号を送信する能力を有するように構成される。端末はメモリをさらに含んでよく、メモリは処理器に結合し、なおかつ端末に必要なプログラム命令とデータを格納するように構成される。
【００３２】
本発明の実施形態で提供される制御情報処理方法、基地局、および端末によると、基地局は合同符号化方式を用いて異なる制御情報を合同で符号化した後に、合同符号化制御情報を送信する。端末は合同符号化制御情報を受信した後に合同符号化制御情報に基づいてCCAを遂行し、アップリンクサブフレームで信号を送信し、これにより端末に少なくとも2つの制御情報を同時に別々に通知することによって生じるシグナリング過剰が回避され、制御情報の伝送効率が向上する。
【図面の簡単な説明】
【００３３】
【図１】本発明の一実施形態による制御情報処理方法を実施する流れ図である。
【図２】本発明の一実施形態に従って基地局によって合同符号化制御情報を指示する概略図である。
【図３】本発明の一実施形態に従って基地局によって合同符号化制御情報を指示する別の概略図である。
【図４】本発明の一実施形態に従って前のサブフレームでリスニングギャップが確保される概略図である。
【図５】本発明の一実施形態に従って前のサブフレームのLBTのタイプが不在である概略図である。
【図６】本発明の一実施形態による基地局の概略構造図である。
【図７】本発明の一実施形態による基地局の別の概略構造図である。
【図８】本発明の一実施形態による端末の概略構造図である。
【図９】本発明の一実施形態による端末の別の概略構造図である。
【発明を実施するための形態】
【００３４】
これ以降は、本発明の実施形態の添付の図面を参照しながら本発明の実施形態の技術的解決手段を詳しく説明する。
【００３５】
本発明の実施形態で提供される制御情報処理方法、基地局、および端末は、アンライセンス周波数帯で稼働する無線通信システムに、例えばLAA−LTE通信システムに、あるいはエンハンストライセンスアシストアクセス（enhanced LAA、eLAA）通信システムに、応用できる。無線通信システムの基地局はアンライセンス周波数帯でダウンリンク情報を送信し、無線通信システムの端末はアンライセンス周波数帯でアップリンク情報を送信する。端末は基地局のスケジューリングに基づいてアンライセンス周波数帯でアップリンク情報を送信する。具体的に述べると、基地局はアップリンク情報を送信する端末をスケジュールするために使われる制御情報をダウンリンクサブフレームで送信し、端末は制御情報を受信し、制御情報に基づいてスケジュールされたアップリンクサブフレームでアップリンク情報を送信する。アンライセンス周波数帯で友好的なシステム間共存を実現するため、端末はアップリンク情報を送信する前にLBTを遂行できる。例えば、端末は基地局によって送信される制御情報に基づいてシングルタイムスロット方式CCAかランダムバックオフ方式CCAを遂行できる。当然ながら、端末はLBTの遂行を省くこともでき、アップリンク情報を送信するためアップリンクサブフレームを直接占有する。
【００３６】
端末によってシングルタイムスロット方式CCAを遂行する実行プロセスは次のとおりである。端末はシングルタイムスロット方式CCAリスニングを遂行する。例えば、単一のタイムスロットのタイムスロット長は、25μs、34μs、または43μsである。シングルタイムスロット方式CCAを遂行することによってチャネルがアイドルであることが検出される場合、端末は当該チャネルに直ちにアクセスできる。さらに、シングルタイムスロット方式CCAを遂行することによってチャネルがビジーであることが検出される場合、端末はチャネルがアイドルになるまで次のCCAタイムスロットに直ちに入ることができる。あるいは、端末は情報の送信を放棄でき、次のスケジュールされたアップリンクサブフレームの前に次のシングルタイムスロット方式CCAリスニングを遂行できる。
【００３７】
端末によってランダムバックオフ方式CCAを遂行する実行プロセスは次のとおりである。無線通信デバイスは0とコンテンションウィンドウサイズ（Contention Window Size、CWS）との間で均一かつランダムにバックオフカウンタNを生成し、拡張CCA（Extended CCA、ECCA）タイムスロットを粒度として使用してリスニングを遂行する。ECCAタイムスロット内にチャネルがアイドルであることが検出される場合は、バックオフカウンタが1減らされ、チャネルがビジーであることが検出される場合は、バックオフカウンタが保留され、つまりバックオフカウンタNはチャネルがアイドルであることが検出されるまでチャネルがビジーである間は変わらない。バックオフカウンタが0まで減らされると、端末は直ちにチャネルを占有できる。CWSは1セットの中で動的に調節でき、CWSの標準的な値は、例えば3または7である。ランダムバックオフ方式CCAタイムスロットの標準的な値は、例えば9μsである。
【００３８】
本発明の実施形態において、端末はチャネルがアイドルかビジーかを次のように判断できる。端末は、CCAタイムスロット内に、あるいはECCAタイムスロット内に、受け取ったチャネル電力をエネルギー検出閾値に比較し、電力が閾値より高い場合はチャネルがビジーであると判断し、電力が閾値より低い場合はチャネルがアイドルであると判断する。
【００３９】
基地局によって制御情報を送信するシグナリングオーバーヘッドを減らすため、本発明の実施形態は制御情報処理方法を提供する。この方法では、異なる制御情報を別々に送信することによって生じるコントロールシグナリングオーバーヘッドの問題を回避して、コントロールシグナリングオーバーヘッドを減らすため、基地局は、端末に対して異なるスケジューリングを行うために使われる異なる制御情報を合同符号化方式を用いて合同で符号化した後に、合同符号化制御情報を送信する。
【００４０】
なお、本発明の実施形態において、基地局はマクロ基地局（Macro eNB）、リモート無線アンテナ（Remote Radio Head、RRH）、マイクロ基地局（Pico eNodeB、Pico eNB）、ホーム基地局（Home eNodeB、HeNB）、リレーデバイス（Relay Node、RN）、アクセスポイント（Access Point、AP）などであってよい。端末は、ハンドヘルドデバイス、車載デバイス、ウェアラブルデバイス、または無線通信機能を有するコンピューティングデバイス、無線モデムに接続された別の処理デバイス、またはユーザ機器（User Equipment、UE）、モバイルステーション（Mobile Station、MS）、ターミナルデバイス（Terminal Equipment）、または様々な形態をとる同様のものいであってよい。
【００４１】
図1は本発明の一実施形態による制御情報送信方法を実施する流れ図である。図1に示されているように、この方法は下記ステップを含む。
【００４２】
S101．基地局は第1の制御情報と第2の制御情報を合同で符号化することによって合同符号化制御情報を決定する。
【００４３】
本発明の本実施形態において、第1の制御情報によって指示される情報内容は第2の制御情報によって指示される情報内容と異なる。したがって、異なる情報内容を指示する異なる制御情報を合同で符号化することによって得られる合同符号化制御情報を使用することで、複数のメッセージ内容に対応する作業行動を端末が遂行することを指示できる。
【００４４】
本発明の本実施形態において、合同符号化制御情報は異なる指示ビットによって指示されてよく、異なる指示状態を含む。指示ビットはビットまたはq−naryシンボルビットであってよく、指示状態は状態値を有する指示ビットであり、指示ビットの異なる状態値は異なるメッセージ内容を相応に指示する。例えば、2ビットに含まれる4つの状態値「00」、「01」、「10」、および「11」は4とおりのメッセージ内容を指示できる。
【００４５】
本発明の本実施形態において、端末が複数の作業行動を遂行することを指示するために合同符号化制御情報を使用できることを理解できる。したがって、合同符号化制御情報の指示状態によって指示される端末の作業行動は、1つの作業行動であってよく、あるいは複数の作業行動であってもよい。本発明の本実施形態において、合同符号化制御情報は端末の複数の作業行動を指示する少なくとも1つの指示状態を含む。例えば、2ビットを含む指示ビットの異なる状態値によって指示され得る端末の作業行動は次のとおりであってよい。「00」は、UEがアップリンクサブフレームで信号の送信を開始する開始時間が25μs＋であり、UEが信号送信開始時間の前にシングルタイムスロット方式CCAを遂行することを指示し、「01」は、UEがアップリンクサブフレームで信号の送信を開始する開始時間が1シンボル＋であり（つまり、信号はアップリンクサブフレームの第1のシンボルでは送信されないが、第2のシンボルで送信され始める）、UEがランダムバックオフ方式CCAを遂行することを指示し、「10」は、UEがアップリンクサブフレームで信号の送信を開始する開始時間が0μs＋であり（つまり、信号はアップリンクサブフレームの開始時間に送信され始める）、UEが信号送信開始時間の前にシングルタイムスロット方式CCAを遂行することを指示し、「11」は、UEがアップリンクサブフレームで信号の送信を開始する開始時間が0μs＋であり（つまり、信号はアップリンクサブフレームの開始時間に送信され始める）、UEが信号送信開始時間の前にランダムバックオフ方式CCAを遂行することを指示する。この場合、指示ビット「00」、「01」、「10」、および「11」の各状態は2つの作業行動を遂行することを端末に命令する。「00」または「10」は、アップリンクサブフレームの開始時間と、端末によって遂行されるべきCCAのタイプを、すなわちシングルタイムスロット方式CCAを、指示し、「01」または「11」は、アップリンクサブフレームの開始時間と、端末によって遂行されるべきCCAのタイプを、すなわちシングルタイムスロット方式CCAを、指示する。さらに、合同符号化制御情報は端末のM個の作業行動を指示する指示状態と端末のN個の作業行動を指示する指示状態とを含み、MはNに等しくない。例えば、2ビットを含む指示ビットの異なる状態値によって指示され得る端末の作業行動は次のとおりであってよい。「00」はシングルタイムスロット方式CCAを遂行することを端末に命令する。この場合、「00」は1つの作業行動を遂行することを端末に命令し、すなわちシングルタイムスロット方式CCAを遂行することを端末に命令する。「01」はランダムバックオフ方式を遂行することを端末に命令し、CWSは3であり、「10」はランダムバックオフ方式CCAを遂行することを端末に命令し、CWSは7である。この場合、「01」または「10」は2つの作業行動を遂行することを端末に命令し、つまり、端末によって遂行されるべきCCAのタイプと、すなわちランダムバックオフ方式CCAと、端末によって遂行されるべきランダムバックオフ方式CCAのCWSの値を、指示する。あるいは、例えば、3ビットを含む指示ビットの異なる状態値によって指示され得る端末の作業行動は次のとおりであってよい。「000」は、UEがアップリンクサブフレームで信号の送信を開始する開始時間が25μs���であり、UEが信号送信開始時間の前にシングルタイムスロット方式CCAを遂行することを指示し、「001」は、UEがアップリンクサブフレームで信号の送信を開始する開始時間が1シンボル＋であり、UEがランダムバックオフ方式CCAを遂行し、CWSが3であることを指示し、「010」は、UEがアップリンクサブフレームで信号の送信を開始する開始時間が1シンボル＋であり、UEがランダムバックオフ方式CCAを遂行し、CWSが7であることを指示し、「011」は、UEがアップリンクサブフレームで信号の送信を開始する開始時間が0μs＋であり、UEが信号送信開始時間の前にシングルタイムスロット方式CCAを遂行することを指示し、「100」は、UEがアップリンクサブフレームで信号の送信を開始する開始時間が0μs＋であり、UEがランダムバックオフ方式CCAを遂行し、CWSが3であることを指示し、「101」は、UEがアップリンクサブフレームで信号の送信を開始する開始時間が0μs＋であり、UEがランダムバックオフ方式CCAを遂行し、CWSが7であることを指示する。この場合、「000」または「011」は2つの作業行動を遂行することを端末に命令し、つまり、アップリンクサブフレームの開始時間と、端末によって遂行されるべきCCAのタイプを、すなわちシングルタイムスロット方式CCAを、指示し、「001」、「010」、「100」、または「101」は3つの作業行動を遂行することを端末に命令し、つまり、アップリンクサブフレームの開始時間と、端末によって遂行されるべきCCAのタイプと、すなわちランダムバックオフ方式CCAと、端末によって遂行されるべきランダムバックオフ方式CCAのCWSの値を指示する。
【００４６】
S102．基地局は合同符号化制御情報を送信し、端末は基地局によって送信された合同符号化制御情報を受信する。
【００４７】
本発明の本実施形態において、基地局は物理的ダウンリンク制御チャネル（Physical Downlink Control Channel、PDCCH）の共通探索空間（Common Search Space）かユーザ固有探索空間（端末−specific Search Space）でダウンリンクコントロールシグナリングを使って端末へ合同符号化制御情報を送信できる。基地局が共通探索空間を使って合同符号化制御情報を送信する場合、基地局は全ての端末に同じ合同符号化制御情報を、例えばCCAのタイプとCWS／バックオフカウンタ初期値を、通知する。基地局がユーザ固有探索空間を使って合同符号化制御情報を送信する場合、基地局はそれぞれの端末にそれぞれの合同符号化制御情報を通知する。
【００４８】
さらに、基地局がユーザ固有探索空間を使って合同符号化制御情報を送信する場合、基地局は合同符号化制御情報にアップリンクグラント（UL grant）を使って端末へ合同符号化制御情報を送信できる。
【００４９】
S103．端末は合同符号化制御情報に基づいて作業を遂行する。
【００５０】
本発明の本実施形態において、端末によって遂行されるべき作業は、アップリンクサブフレームで端末によって遂行されるべきCCAのタイプを判断する作業、端末がアップリンクサブフレームで信号の送信を開始する開始時間を判断する作業、ならびにランダムバックオフ方式CCAのCWSまたはバックオフカウンタ初期値を判断する作業のいずれか1つ以上を含み得る。その後端末は、合同符号化情報に基づいて、アップリンクサービスチャネルで、またはアップリンク制御チャネルで、またはアップリンク基準信号に対応するチャネルで、アップリンク信号を送信できる。端末が合同符号化情報に基づいてアップリンク信号を送信することは、合同符号化制御情報に基づいてCCAを遂行することと、CCAが完了した後に、信号を送信するためアップリンクサブフレームを占有することとを含む。
【００５１】
なお、本発明の本実施形態において、LBTが遂行される場合、CCAを完了することはLBTが成功することを含む。つまり、LBTが成功すると、端末は信号を送信するためアップリンクサブフレームを占有する。LBTが遂行されない場合、CCAを完了することはLBTの遂行を省くことを含む。つまり、端末はLBTの遂行を省くことができ、信号を送信するためチャネルに直接アクセスする。
【００５２】
なお、本発明の本実施形態において、アップリンクサブフレームで端末によって遂行されるべきCCAのタイプは以下を含む。端末はアップリンクチャネルにアクセスする前にチャネルリスニングのためにLBTを遂行し、あるいは端末はアップリンクチャネルにアクセスする前にLBTの遂行を省く。LBTを遂行することは、シングルタイムスロット方式CCAかバックオフ方式CCAを遂行することを含む。
【００５３】
なお、端末がチャネルリスニングのためLBTを遂行する場合、端末はLBTが成功した後にチャネルにアクセスする必要があり、端末がLBTの遂行を省く場合、端末はチャネルに直接アクセスできる。
【００５４】
端末がアップリンク伝送を遂行するときに、LBTが成功することは、端末がアップリンクサブフレームで信号を送信する前にLBTを完了することを意味する。LBTを完了することは、シングルタイムスロット方式CCAに基づくCCAタイムスロットでチャネルがアイドルであることを検出することと、アップリンクサブフレームに対応するチャネルにアクセスすることとを含み、あるいはランダムバックオフ方式CCAに基づいてCCAバックオフを完了することと、アップリンクサブフレームに対応するチャネルにアクセスすることとを含む。
【００５５】
本発明の本実施形態において、これ以降は実際の応用を参照しながら本発明の制御情報送信方法を詳しく説明する。
【００５６】
本発明の本実施形態において、第1の制御情報によって指示されるメッセージ内容と第2の制御情報によって指示されるメッセージ内容は重複しなくてよく、ただし対応関係を有し、CCAのタイプと、コンテンションウィンドウサイズCWSまたはバックオフカウンタ初期値を含むランダムバックオフ方式CCAのリスニングパラメータであってよく、あるいは端末がアップリンクサブフレームで信号の送信を開始する開始時間と、アップリンクサブフレームで端末によって遂行されるべきチャネルリスニングのリスニングパラメータであってよい。アップリンクサブフレームで端末によって遂行されるべきチャネルリスニングのリスニングパラメータは、端末によって遂行されるべきクリアチャネルアセスメントCCAのタイプを含み、あるいは端末によって遂行されるべきクリアチャネルアセスメントCCAのタイプと、端末によって遂行されるべきランダムバックオフ方式CCAのリスニングパラメータとを含む。ランダムバックオフ方式CCAのリスニングパラメータはコンテンションウィンドウサイズCWSかバックオフカウンタ初期値を含む。
【００５７】
これ以降は本発明の本実施形態で実行可能な合同符号化方式を個別に説明する。
【００５８】
合同符号化方式1ではCCAのタイプとランダムバックオフ方式CCAのリスニングパラメータが合同で符号化される。
【００５９】
本発明の本実施形態で提供される合同符号化制御情報を指示する方法を用いてCCAのタイプとランダムバックオフ方式CCAのリスニングパラメータが合同で符号化される場合、第1の制御情報はアップリンクサブフレームで端末によって遂行されるべきクリアチャネルアセスメントCCAのタイプを指示し、第2の制御情報は端末によって遂行されるべきランダムバックオフ方式CCAのリスニングパラメータを指示する。ランダムバックオフ方式CCAのリスニングパラメータはコンテンションウィンドウサイズCWSかバックオフカウンタ初期値を含む。
【００６０】
ランダムバックオフ方式CCAはCWSやバックオフカウンタ初期値といったリスニングパラメータ情報を必要とするが、シングルタイムスロット方式CCAはリスニングパラメータ情報を必要としない。したがって、2つのコントロールシグナリングを使ってリスニングのタイプとランダムバックオフ方式CCAのリスニングパラメータをそれぞれ指示する場合は、シングルタイムスロット方式CCAとランダムバックオフ方式CCAのリスニングパラメータの一致の過剰が生じる。この問題を解決するため、本発明の本実施形態では、第1の制御情報と第2の制御情報が合同で符号化されるときに、第1の制御情報によって指示される情報内容が第2の制御情報によって指示される情報内容に一致する状況だけが維持され、以下の状況の少なくともいずれか1つを含む。第1の制御情報はアップリンクサブフレームでシングルタイムスロット方式CCAを遂行することを端末に命令し、第2の制御情報によって指示される情報内容はヌルであり、また第1の制御情報はアップリンクサブフレームでランダムバックオフ方式CCAを遂行することを端末に命令し、第2の制御情報はランダムバックオフ方式CCAのリスニングパラメータを指示する。
【００６１】
さらに、以下の状況がさらに含まれる。第1の制御情報はLBTの遂行を省くこと（No LBT）を端末に命令し、信号を送信するためアップリンクサブフレームを占有し、第2の制御情報によって指示される情報内容はヌルである。
【００６２】
本発明の本実施形態において、合同符号化制御情報は、第1の制御情報によって指示される内容が第2の制御情報によって指示される内容と一致する制御情報を含み、第1の制御情報によって指示される内容が第2の制御情報によって指示される内容と一致しない情報は含まない。例えば、以下の状況は含まれない。第1の制御情報はシングルタイムスロット方式CCAを指示し、第2の制御情報はランダムバックオフ方式CCAのリスニングパラメータを指示する。第1の制御情報はNO LBTを指示し、第2の制御情報はランダムバックオフ方式CCAのリスニングパラメータを指示する。
【００６３】
本発明の本実施形態において、第1の制御情報によって指示される情報内容は第2の制御情報によって指示される情報内容に一致するため、第1の制御情報がシングルタイムスロット方式CCAを指示し、第2の制御情報がランダムバックオフ方式CCAのリスニングパラメータを指示する状況は、あるいは第1の制御情報がNO LBTを指示し、第2の制御情報がランダムバックオフ方式CCAのリスニングパラメータを指示する状況は、回避できる。本発明の本実施形態において、少なくとも2つの制御情報の組み合わせで出来できない端末行動は合同符号化制御情報から除去されるため、端末に少なくとも2つの制御情報を同時に別々に通知することによって生じるシグナリング過剰が回避され、制御情報の伝送効率が向上する。
【００６４】
ある特定の実装において、CCAのタイプとランダムバックオフ方式CCAのCWSが合同で符号化される場合、合同符号化制御情報の指示状態は、以下のN＋1個の指示状態のうちの少なくとも2つの指示状態を含む状態セットであってよい。NはCWSの値セットにおける要素の数である。例えば、CWSの値が3または7ならNは2である。第1の指示状態はシングルタイムスロット方式CCAが遂行されることを指示する。第2の指示状態から第（N＋1）の指示状態は、ランダムバックオフ方式CCAが遂行され、CWSの値が第1の値から第Nの値までであることを指示するためにそれぞれ使われる。さらに、合同符号化制御情報の指示状態は、以下のN＋2個の指示状態のうちの少なくとも2つの指示状態を含む状態セットであってよい。第1の指示状態はシングルタイムスロット方式CCAが遂行されることを指示する。第2の指示状態から第（N＋1）の指示状態は、ランダムバックオフ方式CCAが遂行され、CWSの値が第1の値から第Nの値までであることを指示するためにそれぞれ使われる。第（N＋2）の指示状態は、LBTが遂行されず（NO LBT）、信号を送信するためチャネルが直接アクセスされることを指示する。
【００６５】
ある特定の実装において、CCAのタイプとランダムバックオフ方式CCAのカウンタ初期値が合同で符号化される場合、合同符号化制御情報の指示状態は、以下のM＋1個の指示状態のうちの少なくとも2つの指示状態を含む状態セットであってよい。Mはバックオフカウンタ初期値セットにおける要素の数である。例えば、バックオフカウンタ初期値が0〜7ならMは8である。第1の指示状態はシングルタイムスロット方式CCAが遂行されることを指示する。第2の指示状態から第（M＋1）の指示状態は、ランダムバックオフ方式CCAが遂行され、バックオフカウンタ初期値が第1の値から第Mの値までであることを指示するためにそれぞれ使われる。さらに、合同符号化制御情報の指示状態は、以下のM＋2個の指示状態のうちの少なくとも2つの指示状態を含む状態セットである。第1の指示状態はシングルタイムスロット方式CCAが遂行されることを指示する。第2の指示状態から第（M＋1）の指示状態は、ランダムバックオフ方式CCAが遂行され、バックオフカウンタ初期値が第1の値から第Mの値までであることを指示するためにそれぞれ使われる。第（M＋2）の指示状態は、LBTが遂行されず（NO LBT）、信号を送信するためチャネルが直接アクセスされることを指示する。
【００６６】
CWSの値が3または7であり、バックオフカウンタ初期値が0〜7である一例を用いて本発明の本実施形態を説明する。表1と表2には合同符号化制御情報の指示状態が示されている。
【００６７】
【表１】
2019519977.tif 000003
【００６８】
【表２】
2019519977.tif 000004
【００６９】
本発明の本実施形態において、表1と表2は、CCAのタイプとランダムバックオフ方式CCAのリスニングパラメータが合同で符号化される場合に、端末によって遂行されるべき作業であって、なおかつ合同符号化制御情報に含まれた全ての指示状態で指示できる作業の、全ての状況を列挙している。ある特定の実装において、合同符号化制御情報はそれらの状況のいずれか1つを指示でき、端末は合同符号化制御情報に基づいて対応する作業を遂行する。端末により、合同符号化制御情報に基づいてクリアチャネルアセスメントCCAを遂行することと、CCAを完了した後に信号を送信するためアップリンクサブフレームを占有することは、端末により、合同符号化制御情報に基づいてCCAのタイプを判断することと、端末により、CCAのタイプに基づいてCCAを遂行することと、CCAを完了した後に信号を送信するためアップリンクサブフレームを占有することとを含み、さらに、CCAのタイプがランダムバックオフ方式CCAである場合は、端末により、合同符号化制御情報に基づいてランダムバックオフ方式CCAのCCAリスニングパラメータを判断することと、端末により、CCAのタイプとランダムバックオフ方式CCAのCCAリスニングパラメータとに基づいてCCAを遂行することと、CCAを完了した後に信号を送信するためアップリンクサブフレームを占有することとをさらに含む。
【００７０】
本発明の本実施形態では、CCAのタイプとランダムバックオフ方式CCAのリスニングパラメータが合同で符号化される実装が使われ、シグナリングオーバーヘッドが減る。例えば、ビットが制御情報のメッセージ内容を指示する場合、状態値1はシングルタイムスロット方式CCAが遂行されることを指示し、状態値2はCWSが3であるときにランダムバックオフ方式CCAが遂行されることを指示し、状態値3はCWSが7であるときにランダムバックオフ方式CCAが遂行されることを指示する。あるいは、状態値1はNo LBTを指示し、状態値2はシングルタイムスロット方式CCAが遂行されることを指示し、状態値3はCWSが3であるときにランダムバックオフ方式CCAが遂行されることを指示し、状態値4はCWSが7であるときにランダムバックオフ方式CCAが遂行されることを指示する。したがって、全部で2bitsコントロールシグナリングを使用することによって端末の作業行動を完全に指示できる。2bitsコントロールシグナリングがリスニングタイプ（No LBT／シングルタイムスロット方式CCA／ランダムバックオフ方式CCA）を指示し、1bitコントロールシグナリングがCWSが3または7であることを指示する場合と比べて、1bitコントロールシグナリングオーバーヘッドが節約される。
【００７１】
別の一例として、状態値1はシングルタイムスロット方式CCAが遂行されることを指示し、状態値2から状態値9はバックオフカウンタ初期値が0〜7であるときにランダムバックオフ方式CCAが遂行されることを指示するためにそれぞれ使われる。あるいは、状態値1はNo LBTを指示し、状態値2はシングルタイムスロット方式CCAが遂行されることを指示し、状態値3から状態値10はバックオフカウンタ初期値が0〜7であるときにランダムバックオフ方式CCAが遂行されることを指示するためにそれぞれ使われる。したがって、全部で4bitsコントロールシグナリングを使用することで端末の作業行動を完全に指示できる。2bitsコントロールシグナリングがリスニングタイプ（No LBT／シングルタイムスロット方式CCA／ランダムバックオフ方式CCA）を指示し、2bitsコントロールシグナリングがバックオフカウンタ初期値0〜7によってそれぞれ指示される端末の作業行動を指示する場合と比べて、1bitコントロールシグナリングオーバーヘッドが節約される。
【００７２】
なお、本発明の本実施形態において、第1の制御情報によって指示されるメッセージ内容が第2の制御情報によって指示されるメッセージ内容と一致しない状況が合同符号化制御情報から排除されない場合は、端末は合同符号化制御情報を受信した後に既定のやり方で信号を送信できる。例えば、端末がシングルタイムスロット方式CCAとランダムバックオフ方式CCAのCWS／バックオフカウンタ初期値に一致する作業行動とを遂行するよう基地局によって命令される場合、端末は常にシングルタイムスロット方式CCAを遂行し、あるいは指示されたCWSかバックオフカウンタ初期値に基づいてランダムバックオフ方式CCAを遂行する。これは事前に決めることができる。
【００７３】
合同符号化方式2では、アップリンクサブフレームで信号を送信する開始時間と端末によって遂行されるべきCCAのタイプが合同で符号化される。
【００７４】
本発明の本実施形態で提供される合同符号化制御情報を指示する方法を用いて、アップリンクサブフレームで信号を送信する開始時間と端末によって遂行されるべきクリアチャネルアセスメントCCAのタイプが合同で符号化される場合、第1の制御情報は端末がアップリンクサブフレームで信号の送信を開始する開始時間を含み、第2の制御情報は端末によって遂行されるべきクリアチャネルアセスメントCCAのタイプを含む。
【００７５】
現在、表3にはアップリンクサブフレームの開始時間とCCAのタイプとの対応関係が示されている。
【００７６】
【表３】
2019519977.tif 000005
【００７７】
表3に示されたアップリンクサブフレームの開始時間とCCAのタイプとの対応関係によると、端末が前のアップリンクサブフレームの開始時間か前のアップリンクサブフレームのCCAのタイプの指示を正常に受信しない場合に、基地局がアップリンクサブフレームの開始時間（0μs／16μs／25μs／1シンボル）かCCAのタイプ（No LBT／シングルタイムスロット方式CCA／ランダムバックオフ方式CCA）を端末に別々に通知すると、端末はアップリンクサブフレームがMCOT内かMCOT外かを知らず、このためCCAのタイプを判断できない。加えて、基地局が端末にアップリンクサブフレームの開始時間とCCAのタイプを同時に別々に通知する場合は、16μsとシングルタイムスロット方式CCA／ランダムバックオフ方式CCAとの一致、25μsとNo LBT／ランダムバックオフ方式CCAとの一致、ならびに16μsとNo LBT／ランダムバックオフ方式CCAとの一致の過剰が生じる。この問題を解決するため、本発明の本実施形態では、第1の制御情報と第2の制御情報が合同で符号化されるときに、第1の制御情報によって指示される情報内容が第2の制御情報によって指示される情報内容と一致する状況だけが維持され、以下の状況の少なくともいずれか1つを含む。
【００７８】
第1の状況で、第1の制御情報は、端末がアップリンクサブフレームで信号の送信を開始する開始時間がアップリンクサブフレームの開始時間の後であること、また信号送信開始時間とアップリンクサブフレームの開始時間との間隔が第1の時間であることを指示し、第2の制御情報は信号送信開始時間の前にシングルタイムスロット方式CCAを遂行することを端末に命令する。
【００７９】
第2の状況で、第1の制御情報は、端末がアップリンクサブフレームで信号の送信を開始する開始時間がアップリンクサブフレームの開始時間の後であること、また信号送信開始時間とアップリンクサブフレームの開始時間との間隔が第2の時間であることを指示し、第2の制御情報は信号送信開始時間の前にランダムバックオフ方式CCAを遂行することを端末に命令する。
【００８０】
第3の状況で、第1の制御情報は端末がアップリンクサブフレームで信号の送信を開始する開始時間がアップリンクサブフレームの開始時間と同じであることを指示し、第2の制御情報は信号送信開始時間の前にシングルタイムスロット方式CCAを遂行することを端末に命令する。
【００８１】
第4の状況で、第1の制御情報は端末がアップリンクサブフレームで信号の送信を開始する開始時間がアップリンクサブフレームの開始時間と同じであることを指示し、第2の制御情報は信号送信開始時間の前にランダムバックオフ方式CCAを遂行することを端末に命令する。
【００８２】
さらに、以下の第5の状況がさらに含まれてよい。
【００８３】
第5の状況で、第1の制御情報は、端末がアップリンクサブフレームで信号の送信を開始する開始時間がアップリンクサブフレームの開始時間の後であること、また信号送信開始時間とアップリンクサブフレームの開始時間との間隔が第3の時間であることを指示し、第2の制御情報は、LBTの遂行を省くことを端末に命令し、信号を送信するためアップリンクサブフレームを占有する。
【００８４】
なお、アップリンクサブフレームで信号を送信する開始時間と端末によって遂行されるべきCCAのタイプが合同で符号化される場合、合同符号化制御情報はCWSに関する情報を、またはバックオフカウンタ初期値に関する情報を、含まない。したがって、CWSまたはバックオフカウンタ初期値は基地局側で維持されて端末に通知されてよく、あるいは端末側で維持されてよい。
【００８５】
なお、前述した実施形態において、第1の時間は端末がシングルタイムスロット方式CCAを遂行するために確保されるアイドルギャップであり、例えば25μsまたは1シンボルであり、第2の時間は端末がランダムバックオフ方式CCAを遂行するために確保されるアイドルギャップであり、例えば1シンボルである。第1の時間は第2の時間に等しくてよく、あるいは第2の時間に等しくなくてよい。
【００８６】
前述した実施形態で、第3の時間が、アップリンクサブフレームの開始時間から、端末がLBTの遂行を省いて、アップリンク信号の送信を開始するためアップリンクサブフレームを直接占有するときまでの期間であることが理解できる。第3の時間は、端末がLBTを遂行せず、チャネルに直接アクセスする最大時間間隔以下である。例えば、第3の時間の値間隔は（0μs、16μs］である。あるいは、第3の時間は0に等しく、つまり基地局はアップリンクサブフレームの開始時間を調節し、このためダウンリンク伝送が終了するときからアップリンクサブフレームの開始時間までの時間間隔は、端末がLBTの遂行を省いてチャネルへのアクセスを直接開始する最大時間間隔以下であり、つまり（0μs、16μs］である。あるいは、第3の時間は25μsまたは1シンボルに等しく、つまり基地局は、端末がLBTの遂行を省いてチャネルに直接アクセスする最大時間間隔に適合するため、アップリンクサブフレームの開始時間を調節する。なお、第3の時間は0に等しくてよく、あるいは0より大きくてもよい。第3の時間は第1の時間または第2の時間に等しくてよく、あるいは第1の時間または第2の時間に等しくなくてもよい。
【００８７】
ある特定の実装において、アップリンクサブフレームで信号を送信する開始時間と端末によって遂行されるべきCCAのタイプが合同で符号化される場合、合同符号化制御情報の指示状態は表4および表5に示された指示状態の少なくとも2つの指示状態を含む状態セットであってよい。
【００８８】
【表４】
2019519977.tif 000006
【００８９】
【表５】
2019519977.tif 000007
【００９０】
表4および表5において、0μs＋はアップリンク信号を送信する開始時間がアップリンクサブフレームの開始時間に等しいことを意味する。25μs＋はアップリンク信号を送信する開始時間がアップリンクサブフレームの開始時間の25μs後であることを意味する。1シンボル＋はアップリンク信号を送信する開始時間がアップリンクサブフレームの開始時間の1 SC−FDMAシンボル後であることを意味する。25μs＋／1シンボル＋は、シングルタイムスロット方式CCAが遂行される場合に、アップリンク信号を送信する開始時間がアップリンクサブフレームの開始時間の25μs後であることを意味し（ランダムバックオフ方式CCAのアイドルギャップとは異なる）、またはシングルタイムスロット方式CCAが遂行される場合に、アップリンク信号を送信する開始時間がアップリンクサブフレームの開始時間の1シンボル後であることを意味する（ランダムバックオフ方式CCAのアイドルギャップと同じ）。16μs＋はアップリンク信号を送信する開始時間がアップリンクサブフレームの開始時間の16μs後であることを意味する。
【００９１】
表4において、端末の作業行動を完全に指示するには2bitsコントロールシグナリングが必要である。2bitsコントロールシグナリングがアップリンク信号を送信する開始時間（0μs＋／25μs＋／1シンボル＋）を指示し、1bitコントロールシグナリングがCCAのタイプ（シングルタイムスロット方式CCA／ランダムバックオフ方式CCA）を指示する場合と比べて、1bitコントロールシグナリングオーバーヘッドが節約される。
【００９２】
表5において、端末の作業行動を完全に指示するには3bitsコントロールシグナリングが必要である。2bitsコントロールシグナリングがアップリンク信号を送信する開始時間（0μs／16μs／25μs／1シンボル）を指示し、2bitコントロールシグナリングがCCAのタイプ（No LBT／シングルタイムスロット方式CCA／ランダムバックオフ方式CCA）を指示する場合と比べて、1bitコントロールシグナリングオーバーヘッドが節約される。
【００９３】
本発明の本実施形態では、合同符号化制御情報が送信されるため、アップリンクサブフレームの開始時間が、またはCCAのタイプが、別々に通知されるシナリオで、端末によって遂行されるべきCCAのタイプを明示的に指示できないという問題は解決できる。例えば、図2に示されているように、端末はサブフレーム＃n＋8でCCAのタイプを知らないが、基地局がサブフレーム＃n＋9で表5の指示状態4を指示するため、端末はランダムバックオフ方式CCAを遂行できる。別の一例として、図3に示されているように、端末は基地局がサブフレーム＃n＋7で表5の指示状態3を指示することを知るため、端末はシングルタイムスロット方式CCAを正常に遂行した後にサブフレームの開始時間にサブフレーム＃n＋7を占有できる。
【００９４】
本発明の本実施形態において、合同符号化制御情報は、第1の制御情報によって指示される内容が第2の制御情報によって指示される内容と一致する制御情報を含み、第1の制御情報によって指示される内容が第2の制御情報によって指示される内容と一致しない情報は含まない。例えば、以下の状況は含まれない。第1の制御情報は端末がアップリンクサブフレームで信号の送信を開始する開始時間とアップリンクサブフレームの開始時間との間隔が第2の時間であることを指示し、第2の制御情報は開始時間の前にシングルタイムスロット方式CCAを遂行することを端末に命令する。第1の制御情報は端末がアップリンクサブフレームで信号の送信を開始する開始時間とアップリンクサブフレームの開始時間との間隔が第1の時間であることを指示し、第2の制御情報は開始時間の前にランダムバックオフ方式CCAを遂行することを端末に命令する。第1の制御情報は端末がアップリンクサブフレームで信号の送信を開始する開始時間とアップリンクサブフレームの開始時間との間隔が第3の時間であることを指示し、第2の制御情報は開始時間の前にシングルタイムスロット方式CCAかランダムバックオフ方式CCAを遂行することを端末に命令する。第1の制御情報は、端末がアップリンクサブフレームで信号の送信を開始する開始時間とアップリンクサブフレームの開始時間との間隔が第1の時間または第2の時間であること、または端末がアップリンクサブフレームで信号の送信を開始する開始時間がアップリンクサブフレームの開始時間と同じであることを指示し、第2の制御情報はLBTの遂行を省いて信号送信開始時間に信号の送信を開始することを端末に命令する。
【００９５】
本発明の本実施形態において、アップリンクサブフレームで信号を送信する開始時間と端末によって遂行されるべきCCAのタイプが合同で符号化される場合は、第1の制御情報によって指示される情報内容が第2の制御情報によって指示される情報内容に一致するため、シングルタイムスロット方式CCAと1シンボル＋との一致、ランダムバックオフ方式CCAと25μs＋との一致、シングルタイムスロット方式CCA／ランダムバックオフ方式CCAと16μs＋との一致、ならびにNo LBTと1シンボル／25μs／0μsとの一致は回避できる。本発明の本実施形態において、少なくとも2つの制御情報の組み合わせで出来できない端末行動は合同符号化制御情報から除去されるため、端末に少なくとも2つの制御情報を同時に別々に通知することによって生じるシグナリング過剰が回避され、制御情報の伝送効率が向上する。
【００９６】
さらに、本発明の本実施形態において、第1の制御情報によって指示されるメッセージ内容が第2の制御情報によって指示されるメッセージ内容と一致しない状況が合同符号化制御情報から排除されない場合は、端末は合同符号化制御情報を受信した後に既定のやり方で信号を送信できる。例えば、端末によって受信される合同符号化制御情報が、シングルタイムスロット方式CCAと1シンボル＋との一致の場合の作業行動が遂行されるべきであると指示する場合、端末は常にシングルタイムスロット方式CCAと25μs＋との一致の場合の作業行動を遂行でき、あるいはランダムバックオフ方式CCAと1シンボル＋との一致の場合の作業行動を遂行できる。端末によって受信される合同符号化制御情報が、ランダムバックオフ方式CCAと25μs＋との一致の場合の作業行動が遂行されるべきであると指示する場合、端末は常にシングルタイムスロット方式CCAと25μs＋との一致の場合の作業行動を遂行でき、あるいはランダムバックオフ方式CCAと1シンボル＋との一致の場合の作業行動を遂行できる。端末によって受信される合同符号化制御情報が、シングルタイムスロット方式CCA／ランダムバックオフ方式CCAと16μs＋との一致の場合の作業行動が遂行されるべきであると指示する場合、端末は常にシングルタイムスロット方式CCAと25μs＋との一致の場合の作業行動を遂行でき、あるいはランダムバックオフ方式CCAと1シンボル＋との一致の場合の作業行動を遂行でき、あるいはNo LBTと16μs＋との一致の場合の作業行動を遂行できる。端末によって受信される合同符号化制御情報が、No LBTと1シンボル／25μs／0μsとの一致の場合の作業行動が遂行されるべきであると指示する場合、端末は常にシングルタイムスロット方式CCAと25μs＋との一致の場合の作業行動を遂行でき、あるいはランダムバックオフ方式CCAと1シンボル＋との一致の場合の作業行動を遂行でき、あるいはNo LBTと16μs＋との一致の場合の作業行動を遂行できる。
【００９７】
本発明の本実施形態において、表4と表5は、アップリンクサブフレームで信号を送信する開始時間と端末によって遂行されるべきCCAのタイプが合同で符号化される場合に、端末によって遂行されるべき作業であって、なおかつ合同符号化制御情報に含まれた全ての指示状態で指示できる作業の、全ての状況を列挙している。ある特定の実装において、合同符号化制御情報はそれらの状況のいずれか1つを指示でき、端末は合同符号化制御情報によって指示される状況に基づいて対応する作業を遂行する。端末により、合同符号化制御情報に基づいてクリアチャネルアセスメントCCAを遂行することと、CCAを完了した後にアップリンクサブフレームで信号を送信する開始時間に信号を送信するためアップリンクサブフレームを占有することは、端末により、合同符号化制御情報に基づいてCCAのタイプとアップリンクサブフレームで信号を送信する開始時間とを判断することと、端末により、CCAのタイプに基づいてCCAを遂行することと、CCAを完了した後にアップリンクサブフレームで信号を送信する開始時間に信号を送信するためアップリンクサブフレームを占有することとを含む。
【００９８】
なお、端末によって受信される合同符号化制御情報によって指示される作業行動が、端末がアップリンクサブフレームで信号の送信を開始する開始時間がアップリンクサブフレームの開始時間に等しく、端末がシングルタイムスロット方式CCAを遂行することであるなら、あるいは端末がアップリンクサブフレームで信号の送信を開始する開始時間がアップリンクサブフレームの開始時間に等しく、端末がランダムバックオフ方式CCAを遂行することであるなら、端末がアップリンクサブフレームの開始時間までアップリンクサブフレームの前にチャネルを連続的に占有する場合は（つまり、端末はアップリンクサブフレームの前のアップリンクサブフレームでチャネルに正常にアクセスする）、端末はLBTを遂行しなくてよく、アップリンクサブフレームで信号を送信するため引き続きチャネルを占有してよく、あるいは端末がアップリンクサブフレームの開始時間までチャネルを連続的に占有しない場合は（前のサブフレームの末尾でリスニングギャップが確保される、または前のサブフレームのCCAのタイプが不在）、端末は合同符号化情報に含まれているCCAのタイプに基づいてLBTを遂行し、LBTが成功した後にアップリンクサブフレームにアクセスできる。
【００９９】
前のサブフレームの末尾でリスニングギャップが確保される状況は次のとおりである。アップリンクサブフレームの前のサブフレームはダウンリンクサブフレームかアップリンクサブフレームである。ただし、基地局は前のダウンリンクサブフレームの全てのシンボルは占有せず、少なくとも最後のシンボルはアイドルギャップとして維持する。あるいは、端末は前のアップリンクサブフレームの全てのシンボルは占有せず、少なくとも最後のシンボルはアイドルギャップとして維持する。これら2つの場合に、端末は前のサブフレームの最後のアイドルシンボルに対応する期間内にシングルタイムスロット方式CCAかランダムバックオフ方式CCAを遂行できる。LBTが成功する場合、端末はアップリンクサブフレームの最初のシンボルを占有し、アイドルギャップを確保する必要はない。これは図4に示されている。
【０１００】
前のサブフレームでLBTのタイプが不在である状況は次のとおりである。基地局は、端末がアップリンクサブフレームの前にアップリンクサブフレームを占有し、アップリンクサブフレームの終了時間までチャネルを連続的に占有するようスケジュールする。したがって、LBTを遂行する必要はない。ただし、端末は基地局によってスケジュールされたアップリンクサブフレームの前にアップリンクサブフレームのUL grantを受信しないため、端末はアップリンクサブフレームの前にアップリンクサブフレームを占有できず、したがってチャネルにアクセスするためにアップリンクサブフレームでLBTを遂行する必要がある。基地局はアップリンクサブフレームの最初のシンボルを占有することを端末に命令するため、端末はアップリンクサブフレームの前に限ってLBTを遂行できる。これは図5に示されている。
【０１０１】
合同符号化方式3では、アップリンクサブフレームで信号を送信する開始時間と、CCAのタイプと、ランダムバックオフ方式CCAのリスニングパラメータが合同で符号化される。
【０１０２】
本発明の本実施形態において、ランダムバックオフ方式CCAのリスニングパラメータが基地局側で維持され端末へ通知される場合は、ランダムバックオフ方式CCAのリスニングパラメータも合同で符号化でき、制御情報に加えることができ、これによりコントロールシグナリングオーバーヘッドはさらに減る。
【０１０３】
本発明の本実施形態において、本発明の本実施形態で提供される合同符号化制御情報を指示する方法を用いて、アップリンクサブフレームで信号を送信する開始時間とCCAのタイプとランダムバックオフ方式CCAのリスニングパラメータが合同で符号化される場合、第1の制御情報は端末がアップリンクサブフレームで信号の送信を開始する開始時間を含み、第2の制御情報は端末によって遂行されるべきクリアチャネルアセスメントCCAのタイプと端末によって遂行されるべきランダムバックオフ方式CCAのリスニングパラメータとを含む。ランダムバックオフ方式CCAのリスニングパラメータはコンテンションウィンドウサイズCWSかバックオフカウンタ初期値を含む。
【０１０４】
本発明の本実施形態では、第1の制御情報によって指示される情報内容と第2の制御情報によって指示される情報内容との不一致によって生じる情報過剰を回避するため、第1の制御情報によって指示される情報内容が第2の制御情報によって指示される情報内容に一致する状況だけを維持でき、以下の状況の少なくともいずれか1つを含む。
【０１０５】
第1の状況で、第1の制御情報は、端末がアップリンクサブフレームで信号の送信を開始する開始時間がアップリンクサブフレームの開始時間の後であること、また信号送信開始時間とアップリンクサブフレームの開始時間との間隔が第4の時間であることを指示し、第2の制御情報は信号送信開始時間の前にシングルタイムスロット方式CCAを遂行することを端末に命令する。
【０１０６】
第2の状況で、第1の制御情報は、端末がアップリンクサブフレームで信号の送信を開始する開始時間がアップリンクサブフレームの開始時間の後であること、また信号送信開始時間とアップリンクサブフレームの開始時間との間隔が第5の時間であることを指示し、第2の制御情報は、信号送信開始時間の前にランダムバックオフ方式CCAを遂行することを端末に命令し、なおかつランダムバックオフ方式CCAのリスニングパラメータを指示する。
【０１０７】
第3の状況で、第1の制御情報は端末がアップリンクサブフレームで信号の送信を開始する開始時間がアップリンクサブフレームの開始時間と同じであることを指示し、第2の制御情報は信号送信開始時間の前にシングルタイムスロット方式CCAを遂行することを端末に命令する。
【０１０８】
第4の状況で、第1の制御情報は端末がアップリンクサブフレームで信号の送信を開始する開始時間がアップリンクサブフレームの開始時間と同じであることを指示し、第2の制御情報は、信号送信開始時間の前にランダムバックオフ方式CCAを遂行することを端末に命令し、なおかつランダムバックオフ方式CCAのリスニングパラメータを指示する。
【０１０９】
さらに、以下の状況がさらに含まれてよい。
【０１１０】
第5の状況で、第1の制御情報は、端末がアップリンクサブフレームで信号の送信を開始する開始時間がアップリンクサブフレームの開始時間の後であること、また信号送信開始時間とアップリンクサブフレームの開始時間との間隔が第6の時間であることを指示し、第2の制御情報は、リスン・ビフォー・トークLBTの遂行を省くことを端末に命令し、信号を送信するためアップリンクサブフレームを占有し、ランダムバックオフ方式CCAのリスニングパラメータのメッセージ内容はヌルである。
【０１１１】
なお、本発明の本実施形態において、第4の時間と第1の時間は同じであってよく、あるいは異なってもよく、第5の時間と第2の時間は同じであってよく、あるいは異なってもよく、第6の時間と第3の時間は同じであってよく、あるいは異なってもよい。第4の時間と第5の時間と第6の時間の関係については、第1の時間と第2の時間と第3の時間の関係を参照されたい。
【０１１２】
ある特定の実装において、アップリンクサブフレームで信号を送信する開始時間とCCAのタイプとランダムバックオフ方式CCAのCWSが合同で符号化される場合、合同符号化制御情報の指示状態は、以下の2＊N＋2個の指示状態のうちの少なくとも2つの指示状態を含む状態セットであってよい。NはCWSの値セットにおける要素の数である。例えば、CWSの値が3または7ならNは2である。第1の指示状態は、アップリンクサブフレームで信号を送信する開始時間がアップリンクサブフレームの開始時間の後であり、アップリンクサブフレームで信号を送信する開始時間とアップリンクサブフレームの開始時間との間隔が第4の時間であり、シングルタイムスロット方式CCAが遂行されることを指示する。第2の指示状態は、UEがアップリンクサブフレームで信号の送信を開始する開始時間がアップリンクサブフレームの開始時間に等しく、シングルタイムスロット方式CCAが遂行されることを指示する。第3の指示状態から第（N＋2）の指示状態は、UEがアップリンクサブフレームで信号の送信を開始する開始時間がアップリンクサブフレームの開始時間の後であり、UEがアップリンクサブフレームで信号の送信を開始する開始時間とアップリンクサブフレームの開始時間との間隔が第5の時間であり、ランダムバックオフ方式CCAが遂行され、CWSの値が第1の値から第Nの値までであることを指示するためにそれぞれ使われる。第（N＋3）の指示状態から第（2＊N＋2）の指示状態は、UEがアップリンクサブフレームで信号の送信を開始する開始時間がアップリンクサブフレームの開始時間に等しく、ランダムバックオフ方式CCAが遂行され、CWSの値が第1の値から第Nの値までであることを指示するためにそれぞれ使われる。
【０１１３】
さらに、前述した（2＊N＋2）個の指示状態に加えて、合同符号化制御情報の指示状態は第（2＊N＋3）の指示状態をさらに含んでよい。第（2＊N＋3）の指示状態は、UEがアップリンクサブフレームで信号の送信を開始する開始時間がアップリンクサブフレームの開始時間の後であり、UEがアップリンクサブフレームで信号の送信を開始する開始時間とアップリンクサブフレームの開始時間との間隔が第6の時間であり、LBTを遂行する必要がなく、チャネルが直接アクセスされることを指示する。
【０１１４】
ある特定の実装において、アップリンクサブフレームで信号を送信する開始時間とCCAのタイプとランダムバックオフ方式CCAのカウンタ初期値が合同で符号化される場合、合同符号化制御情報の指示状態は、以下の2＊M＋2個の指示状態のうちの少なくとも2つの指示状態を含む状態セットであってよい。Mはバックオフカウンタ初期値セットにおける要素の数である。例えば、バックオフカウンタ初期値が0〜7ならMは8である。第1の指示状態は、アップリンクサブフレームで信号を送信する開始時間がアップリンクサブフレームの開始時間の後であり、アップリンクサブフレームで信号を送信する開始時間とアップリンクサブフレームの開始時間との間隔が第4の時間であり、シングルタイムスロット方式CCAが遂行されることを指示する。第2の指示状態は、UEがアップリンクサブフレームで信号の送信を開始する開始時間がアップリンクサブフレームの開始時間に等しく、シングルタイムスロット方式CCAが遂行されることを指示する。第3の指示状態から第（M＋2）の指示状態は、UEがアップリンクサブフレームで信号の送信を開始する開始時間がアップリンクサブフレームの開始時間の後であり、UEがアップリンクサブフレームで信号の送信を開始する開始時間とアップリンクサブフレームの開始時間との間隔が第5の時間であり、ランダムバックオフ方式CCAが遂行され、バックオフカウンタ初期値が第1の値から第Mの値までであることを指示するためにそれぞれ使われる。第（M＋3）の指示状態から第（2＊M＋2）の指示状態は、UEがアップリンクサブフレームで信号の送信を開始する開始時間がアップリンクサブフレームの開始時間に等しく、ランダムバックオフ方式CCAが遂行され、バックオフカウンタ初期値が第1の値から第Mの値までであることを指示するためにそれぞれ使われる。
【０１１５】
さらに、前述した（2＊M＋2）個の指示状態に加えて、合同符号化制御情報の指示状態は第（2＊M＋3）の指示状態をさらに含んでよい。第（2＊M＋3）の指示状態は、UEがアップリンクサブフレームで信号の送信を開始する開始時間がアップリンクサブフレームの開始時間の後であり、UEがアップリンクサブフレームで信号の送信を開始する開始時間とアップリンクサブフレームの開始時間との間隔が第6の時間であり、LBTを遂行する必要がなく、チャネルが直接アクセスされることを指示する。
【０１１６】
CWSの値が3または7であり、バックオフカウンタ初期値が0〜7である一例を用いて本発明の本実施形態を説明する。表6から表9には合同符号化制御情報の指示状態が示されている。
【０１１７】
【表６】
2019519977.tif 000008
【０１１８】
表6ではCWSの値が3または7である一例が用いられており、端末の作業行動を完全に指示するには2bitsコントロールシグナリングが必要である。2bitsコントロールシグナリングがアップリンク信号を送信する開始時間（0μs＋／25μs＋／1シンボル＋）を指示し、1bitコントロールシグナリングがCCAのタイプ（シングルタイムスロット方式CCA／ランダムバックオフ方式CCA）を指示し、1bitコントロールシグナリングがCWSの値（3／7）を指示する場合と比べて、2bitsコントロールシグナリングオーバーヘッドが節約される。
【０１１９】
【表７】
2019519977.tif 000009
【０１２０】
表7で、端末の作業行動を完全に指示するには3bitsコントロールシグナリングが必要である。2bitsコントロールシグナリングがアップリンク信号を送信する開始時間（0μs／16μs／25μs／1シンボル）を指示し、2bitsコントロールシグナリングがCCAのタイプ（No LBT／シングルタイムスロット方式CCA／ランダムバックオフ方式CCA）を指示し、1bitコントロールシグナリングがCWSの値（3／7）を指示する場合と比べ、2bitsコントロールシグナリングオーバーヘッドが節約される。
【０１２１】
可能なタイムギャップ値が僅か0μs／1シンボルであると考えられ、0μsがNo LBTに相当し、1シンボルがシングルタイムスロット方式CCAとランダムバックオフ方式CCAとに相当する場合は、1bitコントロールシグナリングがアップリンク信号を送信する開始時間（0μs／1シンボル）を指示し、2bitsコントロールシグナリングがCCAのタイプ（No LBT／シングルタイムスロット方式CCA／ランダムバックオフ方式CCA）を指示し、1bitコントロールシグナリングがCWSの値（3／7）を指示する場合と比べて、1bitオーバーヘッドが節約される。
【０１２２】
【表８】
2019519977.tif 000010
【０１２３】
表8ではバックオフカウンタ初期値が0〜7である一例が用いられており、端末の作業行動を完全に指示するには5bitsコントロールシグナリングが必要である。2bitsコントロールシグナリングがアップリンク信号を送信する開始時間（0μs＋／25μs＋／1シンボル＋）を指示し、1bitコントロールシグナリングがCCAのタイプ（シングルタイムスロット方式CCA／ランダムバックオフ方式CCA）を指示し、3bitsコントロールシグナリングがCCAのタイプ（シングルタイムスロット方式CCA／ランダムバックオフ方式CCA）を指示する場合と比べて、1bitオーバーヘッドが節約される。
【０１２４】
【表９】
2019519977.tif 000011
【０１２５】
表9で、端末の作業行動を完全に指示するには5bitsコントロールシグナリングが必要である。2bitsコントロールシグナリングがアップリンク信号を送信する開始時間（0μs／16μs／25μs／1シンボル）を指示し、2bitsコントロールシグナリングがCCAのタイプ（No LBT／シングルタイムスロット方式CCA／ランダムバックオフ方式CCA）を指示し、3bitsコントロールシグナリングがバックオフカウンタ初期値（0〜7）を指示する場合と比べ、2bitsオーバーヘッドが節約される。
【０１２６】
可能なタイムギャップ値が僅か0μs／1シンボルであると考えられ、0μsがNo LBTに相当し、1シンボルがシングルタイムスロット方式CCAとランダムバックオフ方式CCAとに相当する場合は、1bitコントロールシグナリングがアップリンク信号を送信する開始時間（0μs／1シンボル）を指示し、2bitsコントロールシグナリングがCCAのタイプ（No LBT／シングルタイムスロット方式CCA／ランダムバックオフ方式CCA）を指示し、3bitsコントロールシグナリングがバックオフカウンタ初期値（0〜7）を指示する場合と比べ、1bitオーバーヘッドが節約される。
【０１２７】
さらに、合同符号化制御情報は、第1の制御情報によって指示される内容が第2の制御情報によって指示される内容と一致する制御情報を含み、第1の制御情報によって指示される内容が第2の制御情報によって指示される内容と一致しない情報は含まない。例えば、以下の状況は含まれない。第2の制御情報は開始時間の前にシングルタイムスロット方式CCAを遂行することを端末に命令し、ランダムバックオフ方式CCAのCWSかバックオフカウンタ初期値を指示する。第1の制御情報は端末がアップリンクサブフレームで信号の送信を開始する開始時間とアップリンクサブフレームの開始時間との間隔が第5の時間であることを指示し、第2の制御情報は開始時間の前にシングルタイムスロット方式CCAを遂行することを端末に命令する。第1の制御情報は端末がアップリンクサブフレームで信号の送信を開始する開始時間とアップリンクサブフレームの開始時間との間隔が第4の時間であることを指示し、第2の制御情報は、開始時間の前にランダムバックオフ方式CCAを遂行することを端末に命令し、なおかつCWSかバックオフカウンタ初期値を指示する。第1の制御情報は端末がアップリンクサブフレームで信号の送信を開始する開始時間とアップリンクサブフレームの開始時間との間隔が第6の時間であることを指示し、第2の制御情報は開始時間の前にシングルタイムスロット方式CCAを遂行することを端末に命令し、あるいは第2の制御情報はランダムバックオフ方式CCAとCWSまたはバックオフカウンタ初期値とを指示する。第1の制御情報は、端末がアップリンクサブフレームで信号の送信を開始する開始時間とアップリンクサブフレームの開始時間との間隔が第4の時間または第5の時間であること、または端末がアップリンクサブフレームで信号の送信を開始する開始時間がアップリンクサブフレームの開始時間と同じであることを指示し、第2の制御情報はLBTの遂行を省くことを端末に命令し、信号送信開始時間に情報の送信を開始する。
【０１２８】
本発明の本実施形態において、アップリンクサブフレームで信号を送信する開始時間とCCAのタイプとランダムバックオフ方式CCAのリスニングパラメータが合同で符号化される場合は、第1の制御情報によって指示される情報内容が第2の制御情報によって指示される情報内容に一致するため、シングルタイムスロット方式CCAとランダムバックオフ方式CCAのCWS／バックオフカウンタ初期値との一致、シングルタイムスロット方式CCAと1シンボル＋との一致、ランダムバックオフ方式CCAと25μs＋との一致、シングルタイムスロット方式CCA／ランダムバックオフ方式CCAと16μs＋との一致、ならびにNo LBTと1シンボル＋／25μs＋／0μs＋との一致は回避できる。本発明の本実施形態において、少なくとも2つの制御情報の組み合わせで出来できない端末行動は合同符号化制御情報から除去されるため、端末に少なくとも2つの制御情報を同時に別々に通知することによって生じるシグナリング過剰が回避され、制御情報の伝送効率が向上する。
【０１２９】
なお、本発明の本実施形態において、第1の制御情報によって指示されるメッセージ内容が第2の制御情報によって指示されるメッセージ内容と一致しない状況が合同符号化制御情報から排除されない場合は、端末は合同符号化制御情報を受信した後に既定のやり方で信号を送信できる。具体的な実行方法については前述した実施形態を参照されたい。ここでは詳細を繰り返し説明しない。
【０１３０】
なお、本発明の本実施形態において、表6から表9は、アップリンクサブフレームで信号を送信する開始時間とCCAのタイプとランダムバックオフ方式CCAのリスニングパラメータが合同で符号化される場合に、端末によって遂行されるべき作業であって、なおかつ合同符号化制御情報に含まれた全ての指示状態で指示できる作業の、全ての状況を列挙している。ある特定の実装において、合同符号化制御情報はそれらの状況のいずれか1つを指示でき、端末は合同符号化制御情報によって指示される状況に基づいて対応する作業を遂行する。端末により、合同符号化制御情報に基づいてクリアチャネルアセスメントCCAを遂行することと、CCAを完了した後にアップリンクサブフレームで信号を送信する開始時間に信号を送信するためアップリンクサブフレームを占有することは、端末により、合同符号化制御情報に基づいてCCAのタイプとアップリンクサブフレームで信号を送信する開始時間とを判断することと、端末により、CCAのタイプに基づいてCCAを遂行することと、CCAを完了した後にアップリンクサブフレームで信号を送信する開始時間に信号を送信するためアップリンクサブフレームを占有することとを含み、さらに、CCAのタイプがランダムバックオフ方式CCAである場合は、端末により、合同符号化制御情報に基づいてランダムバックオフ方式CCAのCCAリスニングパラメータを判断することと、端末により、CCAのタイプとランダムバックオフ方式CCAのCCAリスニングパラメータとに基づいてCCAを遂行することと、CCAを完了した後に信号を送信するためアップリンクサブフレームを占有することとをさらに含む。
【０１３１】
なお、端末によって受信される合同符号化制御情報の指示状態が、第1の制御情報が、端末がアップリンクサブフレームで信号の送信を開始する開始時間がアップリンクサブフレームの開始時間の後であること、また信号送信開始時間とアップリンクサブフレームの開始時間との間隔が第5の時間であることを指示し、第2の制御情報が、信号送信開始時間の前にランダムバックオフ方式CCAを遂行することを端末に命令し、なおかつランダムバックオフ方式CCAのリスニングパラメータを指示することであるなら、あるいは、第1の制御情報が、端末がアップリンクサブフレームで信号の送信を開始する開始時間がアップリンクサブフレームの開始時間と同じであることを指示し、第2の制御情報が、信号送信開始時間の前にランダムバックオフ方式CCAを遂行することを端末に命令し、なおかつランダムバックオフ方式CCAのリスニングパラメータを指示することであるなら、端末がアップリンクサブフレームの開始時間までアップリンクサブフレームの前にチャネルを連続的に占有する場合は（つまり、端末はアップリンクサブフレームの前のアップリンクサブフレームでチャネルに正常にアクセスする）、端末はLBTを遂行しなくてよく、アップリンクサブフレームで信号を送信するため引き続きチャネルを占有してよく、あるいは端末がアップリンクサブフレームの開始時間までチャネルを連続的に占有しない場合は（前のサブフレームの末尾でリスニングギャップが確保される、または前のサブフレームのCCAのタイプが不在）、端末は合同符号化情報に含まれているCCAのタイプに基づいてLBTを遂行し、LBTが成功した後にアップリンクサブフレームにアクセスできる。
【０１３２】
なお、明細書と請求項と本発明の実施形態の添付の図面における用語「第1」、「第2」などは同様のものを区別するためのものであり、必ずしも特定の順序や順番を示さない。例えば、本発明の実施形態における第1の制御情報と第2の制御情報は、説明を容易にするため、異なる制御情報を区別しているのであって、制御情報を制限するものではない。そのように使われるデータは適切な状況で交換可能であるため、ここで説明されている本発明の実施形態がここで例証または説明されている順序以外の順序で実施できることを理解されたい。
【０１３３】
前述した実施形態で提供される制御情報処理方法に基づき、本発明の一実施形態は基地局をさらに提供する。図6は本発明の一実施形態による基地局の概略構造図である。図6において、基地局100は処理部101と送信部102とを含む。
【０１３４】
処理部101はアップリンクサブフレームの合同符号化制御情報を決定し、合同符号化制御情報は第1の制御情報と第2の制御情報を合同で符号化することによって得られる制御情報である、ように構成される。
【０１３５】
送信部102は処理部によって決定された合同符号化制御情報を送信するように構成される。
【０１３６】
図7は本発明の一実施形態による基地局の別の概略構造図である。図7において、基地局100は処理器1001と送信器1002とを含む。処理器1001はアップリンクサブフレームの合同符号化制御情報を決定するように構成される。送信器1002は、端末との通信を支援するため、合同符号化制御情報を送信する能力を有するように構成される。基地局100はメモリ1003をさらに含んでよく、メモリ1003は処理器に結合し、なおかつ基地局100に必要なプログラム命令とデータを格納するように構成される。
【０１３７】
なお、本発明の本実施形態の基地局100は前述した方法の実施形態における基地局の全機能を実行するように構成されてよい。具体的な実行プロセスについては、前述した方法の実施形態の関連説明を参照されたい。ここでは詳細を繰り返し説明しない。
【０１３８】
前述した実施形態で提供される制御情報処理方法に基づき、本発明の一実施形態は端末をさらに提供する。図8は本発明の一実施形態による端末の概略構造図である。図8において、端末200は、受信部201と、処理部202と、送信部203とを含む。
【０１３９】
受信部201は基地局によって送信される合同符号化制御情報を受信し、合同符号化制御情報はアップリンクサブフレームのためのものであり、第1の制御情報と第2の制御情報を合同で符号化することによって得られる制御情報である、ように構成される。処理部202は受信部201によって受信された合同符号化制御情報に基づいてクリアチャネルアセスメントCCAを遂行するように構成される。送信部203は、処理部202がCCAを完了した後に、信号を送信するためアップリンクサブフレームを占有するように構成される。
【０１４０】
図9は本発明の一実施形態による端末200の別の概略構造図である。図9に示されているように、端末100は、受信器2001と、処理器2002と、送信器2003とを含む。処理器2002は前述した方法で対応する機能を実行するにあたって端末を支援するように構成される。受信器2001は基地局によって送信される合同符号化制御情報を受信する能力を有するように構成される。送信器2003は信号を送信する能力を有するように構成される。端末200はメモリ2004をさらに含んでよく、メモリ2004は処理器2002に結合し、なおかつ端末に必要なプログラム命令とデータを格納するように構成される。
【０１４１】
なお、本発明の本実施形態の端末200は前述した方法の実施形態における端末の全機能を実行するように構成されてよい。具体的な実行プロセスについては、前述した方法の実施形態の関連説明を参照されたい。ここでは詳細を繰り返し説明しない。
【０１４２】
なお、本発明の本実施形態の処理器は、汎用中央演算処理装置（CPU）、マイクロプロセッサ、特定用途向け集積回路（application−specific integrated circuit、ASIC）、または本発明の解決手段のプログラム実行を制御する1つ以上の集積回路であってよい。コンピュータシステムに含まれる1つ以上のメモリは、読み取り専用メモリ（read−only memory、ROM）、または静的な情報および命令を格納できる別種の静的ストレージデバイス、またはランダムアクセスメモリ（random access memory、RAM）、または情報および命令を格納できる別種の動的ストレージデバイスであってよく、あるいは磁気ディスクストレージであってもよい。これらのメモリはバスを用いて処理器へ接続される。
【０１４３】
受信器と送信器はトランシーバタイプの装置であってよく、別のデバイスや通信ネットワークと、例えばイーサネット(登録商標)、無線アクセスネットワーク（RAN）、または無線ローカルエリアネットワーク（WLAN）と、通信する。
【０１４４】
メモリは、例えばRAMは、本発明の解決手段を実行するために使われるオペレーティングシステムとプログラムを格納する。オペレーティングシステムは、別のプログラムの実行を制御し、なおかつシステムリソースを管理するために使われるプログラムである。
【０１４５】
当業者は、実施形態の前述した方法のステップの全部または一部が処理器に命令するプログラムによって実行されてよいことを理解できる。前述したプログラムはコンピュータ可読記憶媒体に格納されてよい。ランダムアクセスメモリ、読み取り専用メモリ、フラッシュメモリ、ハードディスク、ソリッドステートドライブ、磁気テープ（magnetic tape）、フロッピーディスク（floppy disk）、光ディスク（optical disc）、またはこれらの組み合わせなど、記憶媒体は非一時的（non−transitory）な媒体であってよい。
【０１４６】
本発明の実施形態による方法およびデバイスの流れ図および／またはブロック図を参照しながら本発明を説明した。流れ図およびブロック図の各プロセスおよび各ブロック、ならびに流れ図およびブロック図のプロセスおよびブロックの組み合わせを実行するため、コンピュータプログラム命令が使われてよいことを理解されたい。マシンを形成するため、これらのコンピュータプログラム命令は、汎用コンピュータ、専用コンピュータ、埋め込みプロセッサ、または他のプログラム可能データ処理デバイスのプロセッサに提供されてよく、コンピュータによって、または他のプログラム可能データ処理デバイスのプロセッサによって、実行される命令は、流れ図の中の1つ以上の手順で、またはブロック図の中の1つ以上のブロックで、特定の機能を実行する装置を形成する。
【０１４７】
以上の説明は本発明の実施例に過ぎず、本発明の保護範囲を制限することを意図しない。本発明で開示される技術的範囲の中で当業者によって容易く考え出されるバリエーションや差し替えは本発明の保護範囲に入る。したがって、本発明の保護範囲は請求項の保護範囲に従う。
【符号の説明】
【０１４８】
100  基地局
101  処理部
102  送信部
200  端末
201  受信部
202  処理部
203  送信部
1001  処理器
1002  送信器
1003  メモリ
2001  受信器
2002  処理器
2003  送信器
2004  メモリ
【図１】
2019519977.tif 000012
【図２】
2019519977.tif 000013
【図３】
2019519977.tif 000014
【図４】
2019519977.tif 000015
【図５】
2019519977.tif 000016
【図６】
2019519977.tif 000017
【図７】
2019519977.tif 000018
【図８】
2019519977.tif 000019
【図９】
2019519977.tif 000020
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
制御情報処理方法であって、
端末により、基地局によって送信されるアップリンクサブフレームの合同符号化制御情報を受信するステップであって、前記合同符号化制御情報は合同で符号化された第1の制御情報および第2の制御情報である、ステップと、
前記合同符号化制御情報に応じて、前記端末により、リスン・ビフォー・トーク（LBT）を遂行するステップと、前記LBTが成功したら、前記端末により、アップリンクサブフレームを占有することによって信号を送信するステップと、
前記合同符号化制御情報に応じて、前記端末により、前記アップリンクサブフレームでLBTを遂行せず、前記アップリンクサブフレームを占有することによって信号を送信するステップと
を含む、方法。
【請求項２】
前記第1の制御情報は第1の開始時間を含み、前記第1の開始時間は前記アップリンクサブフレームで信号の送信を開始するときを前記端末に指示し、
前記第2の制御情報は前記アップリンクサブフレームで前記端末によって遂行されるべきクリアチャネルアセスメント（CCA）のタイプを含む、
請求項1に記載の方法。
【請求項３】
前記第1の制御情報は第1の開始時間が第2の開始時間と同じであることを指示し、前記第1の開始時間は前記アップリンクサブフレームで信号の送信を開始するときを前記端末に指示し、前記第2の開始時間は前記アップリンクサブフレームの開始時間であり、
前記第2の制御情報はシングルタイムスロット方式CCAを遂行することを前記端末に命令する、請求項1に記載の方法。
【請求項４】
前記第1の制御情報は第1の開始時間が第2の開始時間と同じであることを指示し、前記第1の開始時間は前記アップリンクサブフレームで信号の送信を開始するときを前記端末に指示し、前記第2の開始時間は前記アップリンクサブフレームの開始時間であり、
前記第2の制御情報はランダムバックオフ方式CCAを遂行することを前記端末に命令する、
請求項1に記載の方法。
【請求項５】
前記端末が、前記第2の開始時間まで、信号を送信するため、前記第2の開始時間の前に、チャネルを占有する場合は、前記端末は、前記アップリンクサブフレームでLBTを遂行せず、前記第2の開始時間に信号を送信し始め、または
前記端末が、信号を送信するため、前記第2の開始時間の前に、チャネルを占有しない場合は、前記端末は、前記第2の開始時間の前に前記シングルタイムスロット方式CCAを遂行し、LBTが成功したら前記第2の開始時間に信号を送信し始める、
請求項3に記載の方法。
【請求項６】
前記端末が、前記第2の開始時間まで、信号を送信するため、前記第2の開始時間の前に、チャネルを占有する場合は、前記端末は、前記アップリンクサブフレームでLBTを遂行せず、前記第2の開始時間に信号を送信し始め、または
前記端末が、信号を送信するため、前記第2の開始時間の前に、チャネルを占有しない場合は、前記端末は、前記第2の開始時間の前に前記ランダムバックオフ方式CCAを遂行し、LBTが成功したら前記第2の開始時間に信号を送信し始める、
請求項4に記載の方法。
【請求項７】
制御情報処理方法であって、
基地局により、アップリンクサブフレームの合同符号化制御情報を決定するステップであって、前記合同符号化制御情報は第1の制御情報と第2の制御情報を合同で符号化することによって得られる制御情報である、ステップと、
前記基地局により、前記合同符号化制御情報を送信するステップと
を含む、方法。
【請求項８】
前記第1の制御情報は第1の開始時間を含み、前記第1の開始時間は前記アップリンクサブフレームで信号の送信を開始するときを端末に指示し、
前記第2の制御情報は前記アップリンクサブフレームで前記端末によって遂行されるべきクリアチャネルアセスメント（CCA）のタイプを含む、
請求項7に記載の方法。
【請求項９】
前記第1の制御情報は端末が前記アップリンクサブフレームで信号の送信を開始する開始時間が第2の開始時間と同じであることを指示し、第1の開始時間は前記アップリンクサブフレームで信号の送信を開始するときを前記端末に指示し、前記第2の開始時間は前記アップリンクサブフレームの開始時間であり、
前記第2の制御情報はシングルタイムスロット方式CCAを遂行することを前記端末に命令する、
請求項7に記載の方法。
【請求項１０】
前記第1の制御情報は第1の開始時間が第2の開始時間と同じであることを指示し、前記第1の開始時間は前記アップリンクサブフレームで信号の送信を開始するときを端末に指示し、前記第2の開始時間は前記アップリンクサブフレームの開始時間であり、
前記第2の制御情報はランダムバックオフ方式CCAを遂行することを前記端末に命令する、
請求項7に記載の方法。
【請求項１１】
前記合同符号化制御情報は、
前記端末が、前記第2の開始時間まで、信号を送信するため、前記第2の開始時間の前に、チャネルを占有する場合に、前記端末が、前記アップリンクサブフレームでLBTを遂行せず、前記第2の開始時間に信号を送信し始める状況、または
前記端末が、信号を送信するため、前記第2の開始時間の前に、チャネルを占有しない場合に、前記端末が前記第2の開始時間の前に前記シングルタイムスロット方式CCAを遂行し、LBTが成功すると、前記第2の開始時間に信号を送信し始める状況
を指示する、請求項9に記載の方法。
【請求項１２】
前記合同符号化制御情報は、
前記端末が、前記第2の開始時間まで、信号を送信するため、前記第2の開始時間の前に、チャネルを占有する場合に、前記端末が、前記アップリンクサブフレームでLBTを遂行せず、前記第2の開始時間に信号を送信し始める状況、または
前記端末が、信号を送信するため、前記第2の開始時間の前に、チャネルを占有しない場合に、前記端末が前記第2の開始時間の前に前記ランダムバックオフ方式CCAを遂行し、LBTが成功すると、前記第2の開始時間に信号を送信し始める状況
を指示する、請求項10に記載の方法。
【請求項１３】
受信部と送信部と処理部とを含む端末であって、
前記受信部は基地局によって送信されるアップリンクサブフレームのための合同符号化制御情報を受信するように構成され、前記合同符号化制御情報は合同で符号化された第1の制御情報および第2の制御情報であり、
前記合同符号化制御情報に応じて、前記処理部はリスン・ビフォー・トーク（LBT）を遂行するため前記受信部を制御し、前記LBTが成功すると、前記送信部は前記アップリンクサブフレームを占有することによって信号を送信するように構成され、または
前記合同符号化制御情報に応じて、
送信部は、前記アップリンクサブフレームでLBTを遂行せず、前記アップリンクサブフレームを占有することによって信号を送信するように構成される、
端末。
【請求項１４】
前記第1の制御情報は第1の開始時間を含み、前記第1の開始時間は前記アップリンクサブフレームで信号の送信を開始するときを前記端末に指示し、
前記第2の制御情報は前記アップリンクサブフレームで前記端末によって遂行されるべきクリアチャネルアセスメント（CCA）のタイプを含む、
請求項13に記載の端末。
【請求項１５】
前記第1の制御情報は第1の開始時間が第2の開始時間と同じであることを指示し、前記第1の開始時間は前記アップリンクサブフレームで信号の送信を開始するときを前記端末に指示し、前記第2の開始時間は前記アップリンクサブフレームの開始時間であり、
前記第2の制御情報はシングルタイムスロット方式CCAを遂行することを前記端末に命令する、
請求項13に記載の端末。
【請求項１６】
前記第1の制御情報は第1の開始時間が第2の開始時間と同じであることを指示し、前記第1の開始時間は前記アップリンクサブフレームで信号の送信を開始するときを前記端末に指示し、前記第2の開始時間は前記アップリンクサブフレームの開始時間であり、
前記第2の制御情報はランダムバックオフ方式CCAを遂行することを前記端末に命令する、
請求項14に記載の端末。
【請求項１７】
前記送信部は、
前記端末が、前記第2の開始時間まで、信号を送信するため、前記第2の開始時間の前に、チャネルを占有する場合に、前記アップリンクサブフレームでLBTを遂行せず、前記第2の開始時間に信号を送信し始め、または
前記端末が、信号を送信するため、前記第2の開始時間の前に、チャネルを占有しない場合に、前記第2の開始時間の前に前記シングルタイムスロット方式CCAを遂行するため前記処理部が前記受信部を制御した後に、LBTが成功したら、前記第2の開始時間に信号を送信し始める
ように具体的に構成される、請求項15に記載の端末。
【請求項１８】
前記送信部は、
前記端末が、前記第2の開始時間まで、信号を送信するため、前記第2の開始時間の前に、チャネルを占有する場合に、前記アップリンクサブフレームでLBTを遂行せず、前記第2の開始時間に信号を送信し始め、または
前記端末が、信号を送信するため、前記第2の開始時間の前に、チャネルを占有しない場合に、前記第2の開始時間の前に前記ランダムバックオフ方式CCAを遂行するため前記処理部が前記受信部を制御した後に、LBTが成功したら、前記第2の開始時間に信号を送信し始める
ように具体的に構成される、請求項16に記載の端末。
【請求項１９】
基地局であって、
アップリンクサブフレームの合同符号化制御情報を決定するように構成された処理部であって、前記合同符号化制御情報は第1の制御情報と第2の制御情報を合同で符号化することによって得られる制御情報である、前記処理部と
前記処理部によって決定された前記合同符号化制御情報を送信するように構成された送信部と
を含む、基地局。
【請求項２０】
前記第1の制御情報は第1の開始時間を含み、前記第1の開始時間は前記アップリンクサブフレームで信号の送信を開始するときを端末に指示し、
前記第2の制御情報は前記アップリンクサブフレームで前記端末によって遂行されるべきクリアチャネルアセスメント（CCA）のタイプを含む、
請求項19に記載の基地局。
【請求項２１】
前記第1の制御情報は第1の開始時間が第2の開始時間と同じであることを指示し、前記第1の開始時間は前記アップリンクサブフレームで信号の送信を開始するときを端末に指示し、前記第2の開始時間は前記アップリンクサブフレームの開始時間であり、
前記第2の制御情報はシングルタイムスロット方式CCAを遂行することを前記端末に命令する、
請求項19に記載の基地局。
【請求項２２】
前記第1の制御情報は第1の開始時間が第2の開始時間と同じであることを指示し、前記第1の開始時間は前記アップリンクサブフレームで信号の送信を開始するときを端末に指示し、前記第2の開始時間は前記アップリンクサブフレームの開始時間であり、
前記第2の制御情報はランダムバックオフ方式CCAを遂行することを前記端末に命令する、
請求項19に記載の基地局。
【請求項２３】
前記合同符号化制御情報は、
前記端末が、前記第2の開始時間まで、信号を送信するため、前記第2の開始時間の前に、チャネルを占有する場合に、前記端末が、前記アップリンクサブフレームでLBTを遂行せず、前記第2の開始時間に信号を送信し始める状況、または
前記端末が、信号を送信するため、前記第2の開始時間の前に、チャネルを占有しない場合に、前記端末が前記第2の開始時間の前に前記シングルタイムスロット方式CCAを遂行し、LBTが成功したら、前記第2の開始時間に信号を送信し始める状況
を指示する、請求項21に記載の基地局。
【請求項２４】
前記合同符号化制御情報は、
前記端末が、前記第2の開始時間まで、信号を送信するため、前記第2の開始時間の前に、チャネルを占有する場合に、前記端末が、前記アップリンクサブフレームでLBTを遂行せず、前記第2の開始時間に信号を送信し始める状況、または
前記端末が、信号を送信するため、前記第2の開始時間の前に、チャネルを占有しない場合に、前記端末が前記第2の開始時間の前に前記ランダムバックオフ方式CCAを遂行し、LBTが成功したら、前記第2の開始時間に信号を送信し始める状況
を指示する、請求項22に記載の基地局。
【請求項２５】
コンピュータに請求項1から6のいずれか一項に記載の方法を実行させるプログラム。
【請求項２６】
コンピュータに請求項7から12のいずれか一項に記載の方法を実行させるプログラム。
【手続補正２】
【補正対象書類名】明細書
【補正対象項目名】０００２
【補正方法】変更
【補正の内容】
【０００２】
通信技術の発展にともない、ロングタームエボリューションシステムを使用するライセンスアシストアクセス（licensed−assisted access using long term evolution，LAA−LTE）はアンライセンス周波数帯を使用していくつかのデータサービスを運ぶことができる。
【手続補正３】
【補正対象書類名】明細書
【補正対象項目名】０００３
【補正方法】変更
【補正の内容】
【０００３】
アンライセンス周波数帯でLAA−LTEによって遂行されるデータ伝送は、異なる事業者や異なる無線通信規格からの同一チャネル干渉に遭遇し、例えばワイヤレスフィディリティ（Wireless Fidelity、WiFi）システムからの同一チャネル干渉に遭遇する。同一チャネル干渉が伝送性能に与える深刻な影響を回避するため、LAA−LTEシステムは通常、リスン・ビフォー・トーク（listen−before−talk、LBT）チャネルアクセスメカニズムを使用しクリアチャネルアセスメント（clear channel assessment、CCA）で通信チャネルを検出する。
【手続補正４】
【補正対象書類名】明細書
【補正対象項目名】０００４
【補正方法】変更
【補正の内容】
【０００４】
現在、LAA−LTEシステムのアップリンク伝送はスケジューリングを通じて基地局によって完了される。端末は、アップリンクサブフレームを送信する端末をスケジュールするために基地局によって使われる制御情報に基づいてスケジュールされたアップリンクサブフレームでアップリンク情報を送信する。端末は、アップリンク情報を送信する前に、LBTを遂行する場合があり、あるいはLBTを遂行しない場合がある。端末がLBTを遂行する場合、端末はシングルタイムスロット方式CCAかランダムバックオフ方式CCAを遂行する場合がある。
【手続補正５】
【補正対象書類名】明細書
【補正対象項目名】０００５
【補正方法】変更
【補正の内容】
【０００５】
アップリンク伝送のための端末のLBT待ち時間を減らすため、端末は基地局によって開始される最大チャネル占有時間（maximum channel occupancy time、MCOT）内にランダムバックオフ方式CCAを遂行しなくてもよいが、シングルタイムスロット方式CCAは遂行する。チャネルがアイドルであることが検出される場合はアップリンクチャネルがアクセスされる。MCOTの範囲外のアップリンクサブフレームの場合はランダムバックオフ方式CCAを遂行する必要がある。基地局によって開始されるMCOTの長さはダウンリンクサービスタイプによって異なり、2msから10msにおよぶ。MCOTは基地局によって開始され、端末はMCOTの開始時間とMCOTの長さを知らない。したがって、端末がCCAのタイプとアップリンクサブフレームの長さを判断することを可能にする容易な方法は、基地局が端末にCCAのタイプとアップリンクサブフレームの開始時間を別々に通知することである。
【手続補正６】
【補正対象書類名】明細書
【補正対象項目名】０００６
【補正方法】変更
【補正の内容】
【０００６】
基地局が端末にアップリンクサブフレームの開始時間を通知するときに使われる指示状態は、0、16μs、25μs、または1シンボルを含む。0は、LBTを遂行する必要がなく、端末（例えばUE）がアップリンクサブフレームの第1のシンボルを占有することを意味する。16μsは、UEがLBTを遂行する必要がなく、アップリンクサブフレームの第1のシンボルの最初の16μsを使わず、アップリンク情報を送信するため、第1のシンボルの16μsの後ろの第1のシンボルの一部分と第1のシンボルの後ろの残りのシンボルとを占有することを意味する。25μsは、UEがアップリンクサブフレームの第1のシンボルの最初の25μsを使わず、25μs内にシングルタイムスロット方式CCAを遂行し、LBTが成功する場合に、アップリンク情報を送信するため、第1のシンボルの後半と第1のシンボルの後ろの残りのシンボルとを占有することを意味する。1シンボルは、UEがアップリンクサブフレームの第1のシンボルを使わず、1シンボル内にランダムバックオフ方式CCAを遂行し、LBTが成功する場合に、アップリンク情報を送信するため、第1のシンボルの後ろの残りのシンボルを占有することを意味する。基地局は、端末にアップリンクサブフレームの開始時間とCCAのタイプを同時に別々に通知する場合に、CCAのタイプとアップリンクサブフレームの開始時間の指示状態の全ての組み合わせを指示情報に加える。16μsとシングルタイムスロット方式CCAとの一致、16μsとランダムバックオフ方式CCAとの一致、ならびに25μsとランダムバックオフ方式CCAとの一致は出来しないため、指示情報が過剰になり、その結果、コントロールシグナリングオーバーヘッドが増大する。
【手続補正７】
【補正対象書類名】明細書
【補正対象項目名】０００９
【補正方法】変更
【補正の内容】
【０００９】
可能な一設計において、基地局はアップリンクサブフレームの合同符号化制御情報を決定して送信し、合同符号化制御情報は第1の制御情報と第2の制御情報を合同で符号化することによって得られる制御情報である。コントロールシグナリングオーバーヘッドを減らすため、端末は合同符号化制御情報を受信し、合同符号化制御情報に基づいてクリアチャネルアセスメント（CCA）を遂行し、CCAを完了した後に信号を送信するためアップリンクサブフレームを占有する。
【手続補正８】
【補正対象書類名】明細書
【補正対象項目名】００１１
【補正方法】変更
【補正の内容】
【００１１】
可能な一実装において、CCAのタイプとランダムバックオフ方式CCAのリスニングパラメータは合同で符号化されてよい。CCAのタイプとランダムバックオフ方式CCAのリスニングパラメータが合同で符号化される場合、第1の制御情報はアップリンクサブフレームで端末によって遂行されるべきクリアチャネルアセスメント（CCA）のタイプを含み、第2の制御情報は端末によって遂行されるべきランダムバックオフ方式CCAのリスニングパラメータを含む。ランダムバックオフ方式CCAのリスニングパラメータはコンテンションウィンドウサイズ（CWS）かバックオフカウンタ初期値を含む。
【手続補正９】
【補正対象書類名】明細書
【補正対象項目名】００１３
【補正方法】変更
【補正の内容】
【００１３】
さらに、合同で符号化される第1の制御情報および第2の制御情報は、第1の制御情報がリスン・ビフォー・トーク（LBT）の遂行を省くことを端末に命令し、信号を送信するためアップリンクサブフレームを占有し、第2の制御情報がヌルである状況をさらに指示するために使われる。
【手続補正１０】
【補正対象書類名】明細書
【補正対象項目名】００１４
【補正方法】変更
【補正の内容】
【００１４】
別の可能な一実装において、アップリンクサブフレームで信号を送信する開始時間と端末によって遂行されるべきCCAのタイプは合同で符号化されてよい。アップリンクサブフレームで信号を送信する開始時間と端末によって遂行されるべきクリアチャネルアセスメント（CCA）のタイプが合同で符号化される場合、第1の制御情報は端末がアップリンクサブフレームで信号の送信を開始する開始時間を含み、第2の制御情報は端末によって遂行されるべきCCAのタイプを含む。
【手続補正１１】
【補正対象書類名】明細書
【補正対象項目名】００１６
【補正方法】変更
【補正の内容】
【００１６】
さらに、合同で符号化される第1の制御情報および第2の制御情報は、
第1の制御情報が、端末がアップリンクサブフレームで信号の送信を開始する開始時間がアップリンクサブフレームの開始時間の後であること、また信号送信開始時間とアップリンクサブフレームの開始時間との間隔が第3の時間であることを指示し、第2の制御情報がリスン・ビフォー・トーク（LBT）の遂行を省くことを端末に命令し、信号を送信するためアップリンクサブフレームを占有する状況
をさらに指示するために使われる。
【手続補正１２】
【補正対象書類名】明細書
【補正対象項目名】００１７
【補正方法】変更
【補正の内容】
【００１７】
さらに別の可能な一実装において、アップリンクサブフレームで信号を送信する開始時間と、CCAのタイプと、ランダムバックオフ方式CCAのリスニングパラメータは合同で符号化されてよい。アップリンクサブフレームで信号を送信する開始時間と、CCAのタイプと、ランダムバックオフ方式CCAのリスニングパラメータが合同で符号化される場合、第1の制御情報は端末がアップリンクサブフレームで信号の送信を開始する開始時間を含み、第2の制御情報は端末によって遂行されるべきクリアチャネルアセスメント（CCA）のタイプと端末によって遂行されるべきランダムバックオフ方式CCAのリスニングパラメータとを含む。ランダムバックオフ方式CCAのリスニングパラメータはコンテンションウィンドウサイズ（CWS）かバックオフカウンタ初期値を含む。
【手続補正１３】
【補正対象書類名】明細書
【補正対象項目名】００２０
【補正方法】変更
【補正の内容】
【００２０】
さらに、合同で符号化される第1の制御情報および第2の制御情報は、第1の制御情報が、端末がアップリンクサブフレームで信号の送信を開始する開始時間がアップリンクサブフレームの開始時間の後であること、また信号送信開始時間とアップリンクサブフレームの開始時間との間隔が第6の時間であることを指示し、第2の制御情報がリスン・ビフォー・トーク（LBT）の遂行を省くことを端末に命令し、信号を送信するためアップリンクサブフレームを占有し、ランダムバックオフ方式CCAのリスニングパラメータのメッセージ内容がヌルである状況をさらに指示するために使われる。
【手続補正１４】
【補正対象書類名】明細書
【補正対象項目名】００３０
【補正方法】変更
【補正の内容】
【００３０】
可能な一設計において、端末は、受信部と、処理部と、送信部とを含む。受信部は基地局によって送信される合同符号化制御情報を受信し、合同符号化制御情報はアップリンクサブフレームのためのものであり、第1の制御情報と第2の制御情報を合同で符号化することによって得られる制御情報である、ように構成される。処理部は合同符号化制御情報に基づいてクリアチャネルアセスメント（CCA）を遂行するように構成される。送信部は、処理部がCCAを完了した後に、信号を送信するためアップリンクサブフレームを占有するように構成される。
【手続補正１５】
【補正対象書類名】明細書
【補正対象項目名】００３７
【補正方法】変更
【補正の内容】
【００３７】
端末によってランダムバックオフ方式CCAを遂行する実行プロセスは次のとおりである。無線通信デバイスは0とコンテンションウィンドウサイズ（contention window size、CWS）との間で均一かつランダムにバックオフカウンタNを生成し、拡張CCA（extended CCA、ECCA）タイムスロットを粒度として使用してリスニングを遂行する。ECCAタイムスロット内にチャネルがアイドルであることが検出される場合は、バックオフカウンタが1減らされ、チャネルがビジーであることが検出される場合は、バックオフカウンタが保留され、つまりバックオフカウンタNはチャネルがアイドルであることが検出されるまでチャネルがビジーである間は変わらない。バックオフカウンタが0まで減らされると、端末は直ちにチャネルを占有できる。CWSは1セットの中で動的に調節でき、CWSの標準的な値は、例えば3または7である。ランダムバックオフ方式CCAタイムスロットの標準的な値は、例えば9μsである。
【手続補正１６】
【補正対象書類名】明細書
【補正対象項目名】００４０
【補正方法】変更
【補正の内容】
【００４０】
なお、本発明の実施形態において、基地局はマクロ基地局（例えばMacro eNB）、リモート無線ヘッド（remote radio head、RRH）、マイクロ基地局（例えばpico eNB）、ホーム基地局（例えばhome eNodeB、HeNB）、リレーノード（relay node、RN）、アクセスポイント（access point、AP）などであってよい。端末は、ハンドヘルドデバイス、車載デバイス、ウェアラブルデバイス、または無線通信機能を有するコンピューティングデバイス、無線モデムに接続された別の処理デバイス、またはユーザ機器（user equipment、UE）、モバイルステーション（mobile station、MS）、ターミナルデバイス（terminal equipment）、または様々な形態をとる同様のものいであってよい。
【手続補正１７】
【補正対象書類名】明細書
【補正対象項目名】００４１
【補正方法】変更
【補正の内容】
【００４１】
図1は本発明の一実施形態による制御情報処理方法を実施する流れ図である。図1に示されているように、この方法は下記ステップを含む。
【手続補正１８】
【補正対象書類名】明細書
【補正対象項目名】００４５
【補正方法】変更
【補正の内容】
【００４５】
本発明の本実施形態において、端末が複数の作業行動を遂行することを指示するために合同符号化制御情報を使用できることを理解できる。したがって、合同符号化制御情報の指示状態によって指示される端末の作業行動は、1つの作業行動であってよく、あるいは複数の作業行動であってもよい。本発明の本実施形態において、合同符号化制御情報は端末の複数の作業行動を指示する少なくとも1つの指示状態を含む。例えば、2ビットを含む指示ビットの異なる状態値によって指示され得る端末の作業行動は次のとおりであってよい。「00」は、UEがアップリンクサブフレームで信号の送信を開始する開始時間が25μs＋であり、UEが信号送信開始時間の前にシングルタイムスロット方式CCAを遂行することを指示し、「01」は、UEがアップリンクサブフレームで信号の送信を開始する開始時間が1シンボル＋であり（つまり、信号はアップリンクサブフレームの第1のシンボルでは送信されないが、第2のシンボルで送信され始める）、UEがランダムバックオフ方式CCAを遂行することを指示し、「10」は、UEがアップリンクサブフレームで信号の送信を開始する開始時間が0μs＋であり（つまり、信号はアップリンクサブフレームの開始時間に送信され始める）、UEが信号送信開始時間の前にシングルタイムスロット方式CCAを遂行することを指示し、「11」は、UEがアップリンクサブフレームで信号の送信を開始する開始時間が0μs＋であり（つまり、信号はアップリンクサブフレームの開始時間に送信され始める）、UEが信号送信開始時間の前にランダムバックオフ方式CCAを遂行することを指示する。この場合、指示ビット「00」、「01」、「10」、および「11」の各状態値は2つの作業行動を遂行することを端末に命令する。「00」または「10」は、アップリンクサブフレームの開始時間と、端末によって遂行されるべきCCAのタイプを、すなわちシングルタイムスロット方式CCAを、指示し、「01」または「11」は、アップリンクサブフレームの開始時間と、端末によって遂行されるべきCCAのタイプを、すなわちランダムバックオフ方式CCAを、指示する。さらに、合同符号化制御情報は端末のM個の作業行動を指示する指示状態と端末のN個の作業行動を指示する指示状態とを含み、MはNに等しくない。例えば、2ビットを含む指示ビットの異なる状態値によって指示され得る端末の作業行動は次のとおりであってよい。「00」はシングルタイムスロット方式CCAを遂行することを端末に命令する。この場合、「00」は1つの作業行動を遂行することを端末に命令し、すなわちシングルタイムスロット方式CCAを遂行することを端末に命令する。「01」はランダムバックオフ方式を遂行することを端末に命令し、CWSは3であり、「10」はランダムバックオフ方式CCAを遂行することを端末に命令し、CWSは7である。この場合、「01」または「10」は2つの作業行動を遂行することを端末に命令し、つまり、端末によって遂行されるべきCCAのタイプと、すなわちランダムバックオフ方式CCAと、端末によって遂行されるべきランダムバックオフ方式CCAのCWSの値を、指示する。あるいは、例えば、3ビットを含む指示ビットの異なる状態値によって指示され得る端末の作業行動は次のとおりであってよい。「000」は、UEがアップリンクサブフレームで信号の送信を開始する開始時間が25μs＋���あり、UEが信号送信開始時間の前にシングルタイムスロット方式CCAを遂行することを指示し、「001」は、UEがアップリンクサブフレームで信号の送信を開始する開始時間が1シンボル＋であり、UEがランダムバックオフ方式CCAを遂行し、CWSが3であることを指示し、「010」は、UEがアップリンクサブフレームで信号の送信を開始する開始時間が1シンボル＋であり、UEがランダムバックオフ方式CCAを遂行し、CWSが7であることを指示し、「011」は、UEがアップリンクサブフレームで信号の送信を開始する開始時間が0μs＋であり、UEが信号送信開始時間の前にシングルタイムスロット方式CCAを遂行することを指示し、「100」は、UEがアップリンクサブフレームで信号の送信を開始する開始時間が0μs＋であり、UEがランダムバックオフ方式CCAを遂行し、CWSが3であることを指示し、「101」は、UEがアップリンクサブフレームで信号の送信を開始する開始時間が0μs＋であり、UEがランダムバックオフ方式CCAを遂行し、CWSが7であることを指示する。この場合、「000」または「011」は2つの作業行動を遂行することを端末に命令し、つまり、アップリンクサブフレームの開始時間と、端末によって遂行されるべきCCAのタイプを、すなわちシングルタイムスロット方式CCAを、指示し、「001」、「010」、「100」、または「101」は3つの作業行動を遂行することを端末に命令し、つまり、アップリンクサブフレームの開始時間と、端末によって遂行されるべきCCAのタイプと、すなわちランダムバックオフ方式CCAと、端末によって遂行されるべきランダムバックオフ方式CCAのCWSの値を指示する。
【手続補正１９】
【補正対象書類名】明細書
【補正対象項目名】００４７
【補正方法】変更
【補正の内容】
【００４７】
本発明の本実施形態において、基地局は物理的ダウンリンク制御チャネル（physical downlink control channel、PDCCH）の共通探索空間（common search space）かユーザー固有探索空間（端末-specific Search Spaceとも呼ばれる）でダウンリンクコントロールシグナリングを使って端末へ合同符号化制御情報を送信できる。基地局が共通探索空間を使って合同符号化制御情報を送信する場合、基地局は全ての端末に同じ合同符号化制御情報を、例えばCCAのタイプとCWS／バックオフカウンタ初期値を、通知する。基地局がユーザ固有探索空間を使って合同符号化制御情報を送信する場合、基地局はそれぞれの端末にそれぞれの合同符号化制御情報を通知する。
【手続補正２０】
【補正対象書類名】明細書
【補正対象項目名】００５０
【補正方法】変更
【補正の内容】
【００５０】
本発明の本実施形態において、端末によって遂行されるべき作業は、アップリンクサブフレームで端末によって遂行されるべきCCAのタイプを判断する作業、端末がアップリンクサブフレームで信号の送信を開始する開始時間を判断する作業、ならびにランダムバックオフ方式CCAのCWSまたはバックオフカウンタ初期値を判断する作業のいずれか1つ以上を含み得る。その後端末は、合同符号化制御情報に基づいて、アップリンクサービスチャネルで、またはアップリンク制御チャネルで、またはアップリンク基準信号に対応するチャネルで、アップリンク信号を送信できる。端末が合同符号化制御情報に基づいてアップリンク信号を送信することは、合同符号化制御情報に基づいてCCAを遂行することと、CCAが完了した後に、信号を送信するためアップリンクサブフレームを占有することとを含む。
【手続補正２１】
【補正対象書類名】明細書
【補正対象項目名】００５２
【補正方法】変更
【補正の内容】
【００５２】
なお、本発明の本実施形態において、アップリンクサブフレームで端末によって遂行されるべきCCAのタイプは以下を含む。端末はアップリンクチャネルにアクセスする前にチャネルリスニングのためにLBTを遂行し、あるいは端末はアップリンクチャネルにアクセスする前にLBTの遂行を省く。LBTを遂行することは、シングルタイムスロット方式CCAかランダムバックオフ方式CCAを遂行することを含む。
【手続補正２２】
【補正対象書類名】明細書
【補正対象項目名】００５５
【補正方法】変更
【補正の内容】
【００５５】
本発明の本実施形態において、これ以降は実際の応用を参照しながら本発明の制御情報処理方法を詳しく説明する。
【手続補正２３】
【補正対象書類名】明細書
【補正対象項目名】００５６
【補正方法】変更
【補正の内容】
【００５６】
本発明の本実施形態において、第1の制御情報によって指示されるメッセージ内容と第2の制御情報によって指示されるメッセージ内容は重複しなくてよく、ただし対応関係を有し、CCAのタイプと、コンテンションウィンドウサイズ（CWS）またはバックオフカウンタ初期値を含むランダムバックオフ方式CCAのリスニングパラメータであってよく、あるいは端末がアップリンクサブフレームで信号の送信を開始する開始時間と、アップリンクサブフレームで端末によって遂行されるべきチャネルリスニングのリスニングパラメータであってよい。アップリンクサブフレームで端末によって遂行されるべきチャネルリスニングのリスニングパラメータは、端末によって遂行されるべきクリアチャネルアセスメント（CCA）のタイプを含み、あるいは端末によって遂行されるべきクリアチャネルアセスメント（CCA）のタイプと、端末によって遂行されるべきランダムバックオフ方式CCAのリスニングパラメータとを含む。ランダムバックオフ方式CCAのリスニングパラメータはコンテンションウィンドウサイズ（CWS）かバックオフカウンタ初期値を含む。
【手続補正２４】
【補正対象書類名】明細書
【補正対象項目名】００５９
【補正方法】変更
【補正の内容】
【００５９】
本発明の本実施形態で提供される合同符号化制御情報を指示する方法を用いてCCAのタイプとランダムバックオフ方式CCAのリスニングパラメータが合同で符号化される場合、第1の制御情報はアップリンクサブフレームで端末によって遂行されるべきクリアチャネルアセスメント（CCA）のタイプを指示し、第2の制御情報は端末によって遂行されるべきランダムバックオフ方式CCAのリスニングパラメータを指示する。ランダムバックオフ方式CCAのリスニングパラメータはコンテンションウィンドウサイズ（CWS）かバックオフカウンタ初期値を含む。
【手続補正２５】
【補正対象書類名】明細書
【補正対象項目名】００６５
【補正方法】変更
【補正の内容】
【００６５】
ある特定の実装において、CCAのタイプとランダムバックオフ方式CCAのバックオフカウンタ初期値が合同で符号化される場合、合同符号化制御情報の指示状態は、以下のM＋1個の指示状態のうちの少なくとも2つの指示状態を含む状態セットであってよい。Mはバックオフカウンタ初期値セットにおける要素の数である。例えば、バックオフカウンタ初期値が0〜7ならMは8である。第1の指示状態はシングルタイムスロット方式CCAが遂行されることを指示する。第2の指示状態から第（M＋1）の指示状態は、ランダムバックオフ方式CCAが遂行され、バックオフカウンタ初期値が第1の値から第Mの値までであることを指示するためにそれぞれ使われる。さらに、合同符号化制御情報の指示状態は、以下のM＋2個の指示状態のうちの少なくとも2つの指示状態を含む状態セットである。第1の指示状態はシングルタイムスロット方式CCAが遂行されることを指示する。第2の指示状態から第（M＋1）の指示状態は、ランダムバックオフ方式CCAが遂行され、バックオフカウンタ初期値が第1の値から第Mの値までであることを指示するためにそれぞれ使われる。第（M＋2）の指示状態は、LBTが遂行されず（NO LBT）、信号を送信するためチャネルが直接アクセスされることを指示する。
【手続補正２６】
【補正対象書類名】明細書
【補正対象項目名】００６８
【補正方法】変更
【補正の内容】
【００６８】
【表２】
2019519977.tif 000021
【手続補正２７】
【補正対象書類名】明細書
【補正対象項目名】００６９
【補正方法】変更
【補正の内容】
【００６９】
本発明の本実施形態において、表1と表2は、CCAのタイプとランダムバックオフ方式CCAのリスニングパラメータが合同で符号化される場合に、端末によって遂行されるべき作業であって、なおかつ合同符号化制御情報に含まれた全ての指示状態で指示できる作業の、全ての状況を列挙している。ある特定の実装において、合同符号化制御情報はそれらの状況のいずれか1つを指示でき、端末は合同符号化制御情報に基づいて対応する作業を遂行する。端末により、合同符号化制御情報に基づいてクリアチャネルアセスメント（CCA）を遂行することと、CCAを完了した後に信号を送信するためアップリンクサブフレームを占有することは、端末により、合同符号化制御情報に基づいてCCAのタイプを判断することと、端末により、CCAのタイプに基づいてCCAを遂行することと、CCAを完了した後に信号を送信するためアップリンクサブフレームを占有することとを含み、さらに、CCAのタイプがランダムバックオフ方式CCAである場合は、端末により、合同符号化制御情報に基づいてランダムバックオフ方式CCAのリスニングパラメータを判断することと、端末により、CCAのタイプとランダムバックオフ方式CCAのリスニングパラメータとに基づいてCCAを遂行することと、CCAを完了した後に信号を送信するためアップリンクサブフレームを占有することとをさらに含む。
【手続補正２８】
【補正対象書類名】明細書
【補正対象項目名】００７４
【補正方法】変更
【補正の内容】
【００７４】
本発明の本実施形態で提供される合同符号化制御情報を指示する方法を用いて、アップリンクサブフレームで信号を送信する開始時間と端末によって遂行されるべきクリアチャネルアセスメント（CCA）のタイプが合同で符号化される場合、第1の制御情報は端末がアップリンクサブフレームで信号の送信を開始する開始時間を含み、第2の制御情報は端末によって遂行されるべきクリアチャネルアセスメント（CCA）のタイプを含む。
【手続補正２９】
【補正対象書類名】明細書
【補正対象項目名】００９７
【補正方法】変更
【補正の内容】
【００９７】
本発明の本実施形態において、表4と表5は、アップリンクサブフレームで信号を送信する開始時間と端末によって遂行されるべきCCAのタイプが合同で符号化される場合に、端末によって遂行されるべき作業であって、なおかつ合同符号化制御情報に含まれた全ての指示状態で指示できる作業の、全ての状況を列挙している。ある特定の実装において、合同符号化制御情報はそれらの状況のいずれか1つを指示でき、端末は合同符号化制御情報によって指示される状況に基づいて対応する作業を遂行する。端末により、合同符号化制御情報に基づいてクリアチャネルアセスメント（CCA）を遂行することと、CCAを完了した後にアップリンクサブフレームで信号を送信する開始時間に信号を送信するためアップリンクサブフレームを占有することは、端末により、合同符号化制御情報に基づいてCCAのタイプとアップリンクサブフレームで信号を送信する開始時間とを判断することと、端末により、CCAのタイプに基づいてCCAを遂行することと、CCAを完了した後にアップリンクサブフレームで信号を送信する開始時間に信号を送信するためアップリンクサブフレームを占有することとを含む。
【手続補正３０】
【補正対象書類名】明細書
【補正対象項目名】００９８
【補正方法】変更
【補正の内容】
【００９８】
なお、端末によって受信される合同符号化制御情報によって指示される作業行動が、端末がアップリンクサブフレームで信号の送信を開始する開始時間がアップリンクサブフレームの開始時間に等しく、端末がシングルタイムスロット方式CCAを遂行することであるなら、あるいは端末がアップリンクサブフレームで信号の送信を開始する開始時間がアップリンクサブフレームの開始時間に等しく、端末がランダムバックオフ方式CCAを遂行することであるなら、端末がアップリンクサブフレームの開始時間までアップリンクサブフレームの前にチャネルを連続的に占有する場合は（つまり、端末はアップリンクサブフレームの前のアップリンクサブフレームでチャネルに正常にアクセスする）、端末はLBTを遂行しなくてよく、アップリンクサブフレームで信号を送信するため引き続きチャネルを占有してよく、あるいは端末がアップリンクサブフレームの開始時間までチャネルを連続的に占有しない場合は（前のサブフレームの末尾でリスニングギャップが確保される、または前のサブフレームのCCAのタイプが不在）、端末は合同符号化制御情報に含まれているCCAのタイプに基づいてLBTを遂行し、LBTが成功した後にアップリンクサブフレームにアクセスできる。
【手続補正３１】
【補正対象書類名】明細書
【補正対象項目名】０１０３
【補正方法】変更
【補正の内容】
【０１０３】
本発明の本実施形態において、本発明の本実施形態で提供される合同符号化制御情報を指示する方法を用いて、アップリンクサブフレームで信号を送信する開始時間とCCAのタイプとランダムバックオフ方式CCAのリスニングパラメータが合同で符号化される場合、第1の制御情報は端末がアップリンクサブフレームで信号の送信を開始する開始時間を含み、第2の制御情報は端末によって遂行されるべきクリアチャネルアセスメント（CCA）のタイプと端末によって遂行されるべきランダムバックオフ方式CCAのリスニングパラメータとを含む。ランダムバックオフ方式CCAのリスニングパラメータはコンテンションウィンドウサイズ（CWS）かバックオフカウンタ初期値を含む。
【手続補正３２】
【補正対象書類名】明細書
【補正対象項目名】０１１４
【補正方法】変更
【補正の内容】
【０１１４】
ある特定の実装において、アップリンクサブフレームで信号を送信する開始時間とCCAのタイプとランダムバックオフ方式CCAのバックオフカウンタ初期値が合同で符号化される場合、合同符号化制御情報の指示状態は、以下の2＊M＋2個の指示状態のうちの少なくとも2つの指示状態を含む状態セットであってよい。Mはバックオフカウンタ初期値セットにおける要素の数である。例えば、バックオフカウンタ初期値が0〜7ならMは8である。第1の指示状態は、アップリンクサブフレームで信号を送信する開始時間がアップリンクサブフレームの開始時間の後であり、アップリンクサブフレームで信号を送信する開始時間とアップリンクサブフレームの開始時間との間隔が第4の時間であり、シングルタイムスロット方式CCAが遂行されることを指示する。第2の指示状態は、UEがアップリンクサブフレームで信号の送信を開始する開始時間がアップリンクサブフレームの開始時間に等しく、シングルタイムスロット方式CCAが遂行されることを指示する。第3の指示状態から第（M＋2）の指示状態は、UEがアップリンクサブフレームで信号の送信を開始する開始時間がアップリンクサブフレームの開始時間の後であり、UEがアップリンクサブフレームで信号の送信を開始する開始時間とアップリンクサブフレームの開始時間との間隔が第5の時間であり、ランダムバックオフ方式CCAが遂行され、バックオフカウンタ初期値が第1の値から第Mの値までであることを指示するためにそれぞれ使われる。第（M＋3）の指示状態から第（2＊M＋2）の指示状態は、UEがアップリンクサブフレームで信号の送信を開始する開始時間がアップリンクサブフレームの開始時間に等しく、ランダムバックオフ方式CCAが遂行され、バックオフカウンタ初期値が第1の値から第Mの値までであることを指示するためにそれぞれ使われる。
【手続補正３３】
【補正対象書類名】明細書
【補正対象項目名】０１２３
【補正方法】変更
【補正の内容】
【０１２３】
表8ではバックオフカウンタ初期値が0〜7である一例が用いられており、端末の作業行動を完全に指示するには5bitsコントロールシグナリングが必要である。2bitsコントロールシグナリングがアップリンク信号を送信する開始時間（0μs＋／25μs＋／1シンボル＋）を指示し、1bitコントロールシグナリングがCCAのタイプ（シングルタイムスロット方式CCA／ランダムバックオフ方式CCA）を指示し、3bitsコントロールシグナリングがバックオフカウンタ初期値（0〜7）を指示する場合と比べて、1bitオーバーヘッドが節約される。
【手続補正３４】
【補正対象書類名】明細書
【補正対象項目名】０１２７
【補正方法】変更
【補正の内容】
【０１２７】
さらに、合同符号化制御情報は、第1の制御情報によって指示される内容が第2の制御情報によって指示される内容と一致する制御情報を含み、第1の制御情報によって指示される内容が第2の制御情報によって指示される内容と一致しない情報は含まない。例えば、以下の状況は含まれない。第2の制御情報は開始時間の前にシングルタイムスロット方式CCAを遂行することを端末に命令し、ランダムバックオフ方式CCAのCWSかバックオフカウンタ初期値を指示する。第1の制御情報は端末がアップリンクサブフレームで信号の送信を開始する開始時間とアップリンクサブフレームの開始時間との間隔が第5の時間であることを指示し、第2の制御情報は開始時間の前にシングルタイムスロット方式CCAを遂行することを端末に命令する。第1の制御情報は端末がアップリンクサブフレームで信号の送信を開始する開始時間とアップリンクサブフレームの開始時間との間隔が第4の時間であることを指示し、第2の制御情報は、開始時間の前にランダムバックオフ方式CCAを遂行することを端末に命令し、なおかつCWSかバックオフカウンタ初期値を指示する。第1の制御情報は端末がアップリンクサブフレームで信号の送信を開始する開始時間とアップリンクサブフレームの開始時間との間隔が第6の時間であることを指示し、第2の制御情報は開始時間の前にシングルタイムスロット方式CCAを遂行することを端末に命令し、あるいは第2の制御情報はランダムバックオフ方式CCAとCWSまたはバックオフカウンタ初期値とを指示する。第1の制御情報は、端末がアップリンクサブフレームで信号の送信を開始する開始時間とアップリンクサブフレームの開始時間との間隔が第4の時間または第5の時間であること、または端末がアップリンクサブフレームで信号の送信を開始する開始時間がアップリンクサブフレームの開始時間と同じであることを指示し、第2の制御情報はLBTの遂行を省くことを端末に命令し、信号送信開始時間に信号の送信を開始する。
【手続補正３５】
【補正対象書類名】明細書
【補正対象項目名】０１３０
【補正方法】変更
【補正の内容】
【０１３０】
なお、本発明の本実施形態において、表6から表9は、アップリンクサブフレームで信号を送信する開始時間とCCAのタイプとランダムバックオフ方式CCAのリスニングパラメータが合同で符号化される場合に、端末によって遂行されるべき作業であって、なおかつ合同符号化制御情報に含まれた全ての指示状態で指示できる作業の、全ての状況を列挙している。ある特定の実装において、合同符号化制御情報はそれらの状況のいずれか1つを指示でき、端末は合同符号化制御情報によって指示される状況に基づいて対応する作業を遂行する。端末により、合同符号化制御情報に基づいてクリアチャネルアセスメントCCAを遂行することと、CCAを完了した後にアップリンクサブフレームで信号を送信する開始時間に信号を送信するためアップリンクサブフレームを占有することは、端末により、合同符号化制御情報に基づいてCCAのタイプとアップリンクサブフレームで信号を送信する開始時間とを判断することと、端末により、CCAのタイプに基づいてCCAを遂行することと、CCAを完了した後にアップリンクサブフレームで信号を送信する開始時間に信号を送信するためアップリンクサブフレームを占有することとを含み、さらに、CCAのタイプがランダムバックオフ方式CCAである場合は、端末により、合同符号化制御情報に基づいてランダムバックオフ方式CCAのリスニングパラメータを判断することと、端末により、CCAのタイプとランダムバックオフ方式CCAのリスニングパラメータとに基づいてCCAを遂行することと、CCAを完了した後に信号を送信するためアップリンクサブフレームを占有することとをさらに含む。
【手続補正３６】
【補正対象書類名】明細書
【補正対象項目名】０１３１
【補正方法】変更
【補正の内容】
【０１３１】
なお、端末によって受信される合同符号化制御情報の指示状態が、第1の制御情報が、端末がアップリンクサブフレームで信号の送信を開始する開始時間がアップリンクサブフレームの開始時間の後であること、また信号送信開始時間とアップリンクサブフレームの開始時間との間隔が第5の時間であることを指示し、第2の制御情報が、信号送信開始時間の前にランダムバックオフ方式CCAを遂行することを端末に命令し、なおかつランダムバックオフ方式CCAのリスニングパラメータを指示することであるなら、あるいは、第1の制御情報が、端末がアップリンクサブフレームで信号の送信を開始する開始時間がアップリンクサブフレームの開始時間と同じであることを指示し、第2の制御情報が、信号送信開始時間の前にランダムバックオフ方式CCAを遂行することを端末に命令し、なおかつランダムバックオフ方式CCAのリスニングパラメータを指示することであるなら、端末がアップリンクサブフレームの開始時間までアップリンクサブフレームの前にチャネルを連続的に占有する場合は（つまり、端末はアップリンクサブフレームの前のアップリンクサブフレームでチャネルに正常にアクセスする）、端末はLBTを遂行しなくてよく、アップリンクサブフレームで信号を送信するため引き続きチャネルを占有してよく、あるいは端末がアップリンクサブフレームの開始時間までチャネルを連続的に占有しない場合は（前のサブフレームの末尾でリスニングギャップが確保される、または前のサブフレームのCCAのタイプが不在）、端末は合同符号化制御情報に含まれているCCAのタイプに基づいてLBTを遂行し、LBTが成功した後にアップリンクサブフレームにアクセスできる。
【手続補正３７】
【補正対象書類名】明細書
【補正対象項目名】０１４０
【補正方法】変更
【補正の内容】
【０１４０】
図9は本発明の一実施形態による端末200の別の概略構造図である。図9に示されているように、端末200は、受信器2001と、処理器2002と、送信器2003とを含む。処理器2002は前述した方法で対応する機能を実行するにあたって端末を支援するように構成される。受信器2001は基地局によって送信される合同符号化制御情報を受信する能力を有するように構成される。送信器2003は信号を送信する能力を有するように構成される。端末200はメモリ2004をさらに含んでよく、メモリ2004は処理器2002に結合し、なおかつ端末に必要なプログラム命令とデータを格納するように構成される。
【国際調査報告】
2019519977.tif 000022
2019519977.tif 000023
2019519977.tif 000024
2019519977.tif 000025